(57)【要約】  本発明はコンテンツ・タイトルに対する権利保有者とコンテンツ・タイトルの制作者との間の通信、およびそれらの者によるそのコンテンツ・タイトルの制作を容易にするコンテンツ交換サービスを提供する。このコンテンツ交換サービスはいろいろな権利保有者からコンテンツ・プロフィールを受け取り、そのコンテンツ・プロフィールの内容を別の形式で制作するためのオーディションを要請する目的で、そのコンテンツ・プロフィールを制作者等に示す。権利保有者は制作者等によって提出されたオーディションを検討して、前記コンテンツ交換サービスを介して、その権利保有者が気に入ったオーディションを提出した制作者と通信を行うことができる。そうすると、コンテンツ交換サービスは、そのコンテンツの別形式での制作に関して権利保有者と制作者の間での契約のための交渉をやり易くしてくれる。その契約が成立したら、その制作者はそのコンテンツの別形式での完成した制作物をそのコンテンツ交換サービスに提出し、その制作物が権利保有者に対して承認を得るために提示される。
2014500545.tif 000002
【特許請求の範囲】
【請求項１】
コンテンツの制作者と前記コンテンツに対する権利保有者との間での通信を可能にするシステムであって、
複数のコンテンツに関するデータを記憶保存する電子データ・ストアであって、各コンテンツ・タイトルに関するデータが前記コンテンツに対する権利保有者のためにその内部に記憶保存される電子データ・ストアと、
前記電子データ・ストアと通信するデータ処理装置と、
を含み、
前記データ処理装置は、
前記複数のコンテンツの少なくとも１つのコンテンツに関するデータを検討のために制作者に提示し、前記制作者に提示される前記少なくとも１つのコンテンツに関する前記データが、前記コンテンツを別の形式で制作するための１つあるいは複数の要件を含み、
前記１つあるいは複数の要件に従って前記少なくとも１つのコンテンツを別形式で制作するために、前記制作者と前記少なくとも１つのコンテンツに対する前記権利保有者との間で電子的なオファーおよび契約の受け入れを交換し、
前記少なくとも１つのコンテンツの別形式での制作を促進し、前記制作が前記制作者と前記少なくとも１つのコンテンツに対する前記権利保有者との間の契約に従って前記制作者によって制作される、
ように作動する、
システム。
【請求項２】
前記少なくとも１つのコンテンツの別形式での制作を促進することが、
前記少なくとも１つのコンテンツの別形式でのサンプル制作であって、前記少なくとも１つのコンテンツを別形式で制作するための前記１つあるいは複数の要件に従って前記制作者によって制作されたサンプル制作を前記制作者から受領することと、
前記少なくとも１つのコンテンツの別形式での前記サンプル制作を前記コンテンツ・タイトルに対する前記権利保有者に提示することと、
を含む、請求項１記載のシステム。
【請求項３】
前記少なくとも１つのコンテンツの別形式での制作を促進することが、
前記少なくとも１つのコンテンツの別形式での制作の最初の部分であって、前記少なくとも１つのコンテンツを別形式で制作するための前記１つあるいは複数の要件に従って前記制作者によって制作された最初の部分を前記制作者から受領することと、
前記少なくとも１つのコンテンツの別形式での前記制作の前記最初の部分を検討のために前記少なくとも１つのコンテンツに対する前記権利保有者に提示することと、
を含む、請求項１記載のシステム。
【請求項４】
前記少なくとも１つのコンテンツの別形式での制作を促進することが、
前記少なくとも１つのコンテンツの別形式での完成した制作であって、前記少なくとも１つのコンテンツを別形式で制作するための前記１つあるいは複数の要件に従って前記制作者によって制作された完成した制作を前記制作者から受領することと、
前記少なくとも１つのコンテンツの別形式での前記完成した制作を前記少なくとも１つのコンテンツに対する前記権利保有者に対して検討のために提示することと、
を含む、請求項１記載のシステム。
【請求項５】
前記データ処理装置がさらに、
前記少なくとも１つのコンテンツの別形式での制作を前記権利保有者が承認したら、前記少なくとも１つのコンテンツの別形式での制作を電子カタログに提出するように作動する、
請求項１記載のシステム。
【請求項６】
前記電子データ・ストアが複数の制作者に関するデータを記憶保存し、前記電子データ・ストアに記憶保存される各製作者に関するデータが前記制作者によって、あるいは、前記制作者のために提出される、請求項１記載のシステム。
【請求項７】
前記データ処理装置がさらに、
少なくとも１人の見込み制作者に関するデータを前記少なくとも１つのコンテンツに対する前記権利保有者に検討のために提示し、前記権利保有者に提示される前記少なくとも１人の見込み制作者に関するデータがコンテンツを別形式で制作する上での前記制作者の１つあるいは複数の資格を含むように作動する、
請求項６記載のシステム。
【請求項８】
前記データ処理装置がさらに、
前記権利保有者に対して提示される前記少なくとも１人の見込み制作者に関するデータの少なくとも一部に基づいて前記権利保有者が前記少なくとも１人の見込み制作者を制作者として選択した場合に、前記制作者と前記少なくとも１つのコンテンツに対する前記権利保有者との間での電子的なオファーおよび契約の受け入れの交換ができるように作動する、
請求項７記載のシステム。
【請求項９】
前記データ処理装置がさらに、
前記少なくとも１つのコンテンツを別形式で制作することに関する権利を前記権利保有者が管理していることを確認するように作動する、
請求項６記載のシステム。
【請求項１０】
前記少なくとも１つのコンテンツを別形式で制作することに関する権利を前記権利保有者が管理していることについて確認することが、
（ｉ）前記少なくとも１つのコンテンツがオリジナルな形式で電子カタログにて利用できるか否かを判定すること、
（ｉｉ）前記少なくとも１つのコンテンツが承認された出版社によってオリジナルな形式ですでに出版されているか否かを判定すること、
（ｉｉｉ）前記少なくとも１つのコンテンツがオリジナルな形式で公共での使用に供せられているか否かを判定すること、
（ｉｖ）前記少なくとも１つのコンテンツがすでに別形式で制作されているか否かを判定すること、
のうちの少なくとも１つを含む、請求項９記載のシステム。
【請求項１１】
コンピュータで実現される方法であって、
１つまたは複数のデータ処理装置の管理下で、
前記方法は、複数のコンテンツ・タイトルに関するデータを電子データ・ストアに記憶保存するステップを含み、前記電子データ・ストアに記憶保存される各コンテンツに関するデータが前記コンテンツ・タイトルに対する権利保有者によって、あるいは、前記権利保有者のために提示され、
前記方法は、前記複数のコンテンツ・タイトルに関するデータを検討のために見込み制作者等に提示するステップを含み、見込み制作者に提示される前記複数のコンテンツ・タイトルのそれぞれに関するデータが前記コンテンツ・タイトルを別形式で制作するための１つまたは複数の要件を含み、
前記方法は、少なくとも１人の見込み制作者からコンテンツ・タイトルの別形式での制作を受領するステップを含み、前記制作が検討のために提示された前記コンテンツの別形式での制作に関する１つまたは複数の要件の少なくとも一部に基づいて前記少なくとも１人の見込み制作者によって制作されたものであり、
前記方法は、前記少なくとも一人の見込み制作者と前記コンテンツ・タイトルに対する前記権利保有者との間で前記コンテンツ・タイトルの別形式での制作に関する電子的な通信を促進するステップを含む、
方法。
【請求項１２】
前記方法は、前記コンテンツ・タイトルの別形式での制作を前記権利保有者が受け入れた場合に、前記コンテンツ・タイトルの別形式での制作を電子カタログに提出するステップをさらに含む、請求項１１記載の方法。
【請求項１３】
前記コンテンツ・タイトルの別形式での制作が、前記コンテンツ・タイトルの別形式での最初の制作を含む、請求項１１記載の方法。
【請求項１４】
前記コンテンツ・タイトルの別形式での制作が、前記コンテンツ・タイトルの別形式での完成された制作を含む、請求項１１記載の方法。
【請求項１５】
検討のために提示される前記１つまたは複数の要件が、視点、カテゴリー、性別、登場人物の年齢、なまり、声のスタイル、および言語のうちの少なくとも１つを含む、請求項１１記載の方法。
【発明の詳細な説明】
【技術分野】
【０００１】
電子商取引はビジネスを行ったり商品を販売するための方法として益々普及してきている。品物やサービス（本明細書では『商品』と称す）の提供者は、インターネットを含むコンピュータ・ネットワークを通じて、種々の商品を効率的に提示したり販売したりすることができる。このことは一部の人々にとっては、そうしたシステムがなければ利用することもアクセスすることもできなかったであろう市場にかかわることを可能にしてくれている。例えば、印刷物（例えば本など）に対する権利の保有者（例えば、著者など）は、インターネットを介して利用できる種々の電子商取引資源を通じて自分のコンテンツを売りに出したり、ユーザーに対してアクセスすることができる。しかしながら、より多数のオーディエンス（読み手や視聴者）と触れ合ったり及び／又は需要に対応するために、権利保有者は自分が提供するコンテンツを別の形式で利用できるようにしようとする場合がしばしばある。例えば、書籍など最初は物理的な形態や電子書籍（e書籍）形態で提供された印刷されたコンテンツはオーディオ・ブック形態で提供されたりする。しかしながら、物理的あるいはe書籍形形式で提供される印刷されたコンテンツのほとんどは、オーディオ・ブック形式や高品質のナレーションを含んだオーディオ・ブック形式で利用することはできないので、権利保有者が多数のオーディエンスと触れ合ったり及び／又はオーディオ・ブックに対する需要を満たしたりすることに困難を感じる場合がしばしばある。
【０００２】
さらに、ある著者の印刷されたコンテンツをオーディオ形式で制作することが難しい場合がある。従来、印刷されたコンテンツをオーディオ形式で制作するには、ナレーターのオーディションや選択、権利保有者とナレーターとの間の制作合意、そしてスタジオ品質のナレーションによるオーディオ・ブックの制作のために、かなり時間がかかり、多額の経費もかかる手作業でのプロセスを必要とする。加えて、印刷されたコンテンツをオーディオ・ブックの形式で制作する権利を誰が管理しているのかとか、どの印刷されたコンテンツがオーディオ・ブック形式ですでに制作されていて、どの印刷されたコンテンツが制作されていないのかを判断するのが難しい場合もある。
【０００３】
以下の説明と添付する図面を参照すれば、上に述べた本発明の態様とそれに付随する利点の多くについてより理解が深まるであろう。
【図面の簡単な説明】
【０００４】
【図１】コンテンツ・タイトルに対する権利保有者と制作者の間の通信、およびそれらの者による制作を容易にするための１つの例示的な作業環境を示すブロック図である。
【図２】図１に示す作業環境のブロック図であり、種々の権利保有者のコンピュータ装置からコンテンツ・プロフィールを受け取り、種々の制作者のコンピュータ装置から制作者プロフィールを受け取る、コンテンツ交換サービスを示す。
【図３Ａ】権利保有者が別の形式で制作したいと考えているコンテンツ・タイトルに関するコンテンツ・プロフィールへのデータ入力を促すために権利保有者に提示される例示的なユーザー・インターフェースを示す。
【図３Ｂ】権利保有者が別の形式で制作したいと考えているコンテンツ・タイトルに関するコンテンツ・プロフィールへのデータ入力を促すために権利保有者に提示される例示的なユーザー・インターフェースを示す。
【図３Ｃ】権利保有者が別の形式で制作したいと考えているコンテンツ・タイトルに関するコンテンツ・プロフィールへのデータ入力を促すために権利保有者に提示される例示的なユーザー・インターフェースを示す。
【図３Ｄ】権利保有者が別の形式で制作したいと考えているコンテンツ・タイトルに関するコンテンツ・プロフィールへのデータ入力を促すために権利保有者に提示される例示的なユーザー・インターフェースを示す。
【図４】上記制作者によって、あるいは上記制作者のために制作者プロフィールに入力されたデータの要約を示す制作者に提示される例示的なユーザー・インターフェースを示す。
【図５】図１に示す作業環境のブロック図であり、別の形式での制作が可能なコンテンツ・タイトルの制作者による選択と、その制作者によるそうした制作のオーディションの提示を示す。
【図６】別の形式での制作に利用できるコンテンツ・タイトルに関する検索結果を表示する、制作者に提示される例示的なユーザー・インターフェースを示す。
【図７】選択されたコンテンツ・プロフィールの要約を示し、制作者が上記選択されたコンテンツ・プロフィールに関するオーディションを提出できるようにする、制作者に提示される例示的なユーザー・インターフェースを示す。
【図８】図１に示す作業環境のブロック図であり、権利保有者に対するオーディションの提示と、そのオーディションに対する別の形式での上記コンテンツ・タイトルを制作するオファーの提示を示す。
【図９】権利保有者が権利を管理しているコンテンツ・タイトルを示す権利保有者に提示される例示的なユーザー・インターフェースを示す。
【図１０】コンテンツ・タイトルを別の形式で制作するために受け取られたオーディションの要約を示す権利保有者に提示される例示的なユーザー・インターフェースを示す。
【図１１Ａ】上記コンテンツ・タイトルを別の形式で制作するために制作者がオーディションを提出したコンテンツ・タイトルの要約を示す制作者に提示される例示的なユーザー・インターフェースを示す。
【図１１Ｂ】上記コンテンツ・タイトルを別の形式で制作するために制作者がオーディションを提出したコンテンツ・タイトルの要約を示す制作者に提示される例示的なユーザー・インターフェースを示す。
【図１２】図１に示す作業環境のブロック図であり、制作者による別の形式でのコンテンツの制作と、権利保有者によるそうした制作物に対する承認を示す。
【図１３】制作者がそのコンテンツ・タイトルの別の形式での制作物を提出することができるようにする制作者に提示される例示的なユーザー・インターフェースを示す。
【図１４】上記権利保有者が、制作者から提示されたそのコンテンツ・タイトルの別の形式での制作を承認できるようにするために権利保有者に提示される例示的なユーザー・インターフェースを示す。
【図１５】別の形式で制作されたコンテンツ・タイトルの販売を要約して示す権利保有者あるいは制作者に提示される例示的なユーザー・インターフェースを示す。
【発明を実施するための形態】
【０００５】
一般的に述べれば、ここに開示されている態様は、権利保有者とコンテンツ制作者間の通信及びそれらの者によるコンテンツ制作を容易にするコンテンツ交換サービスに関するものである。このコンテンツ交換サービスはいろいろな権利保有者からコンテンツ・プロフィールを受け取り、そのコンテンツ・プロフィール内の特定のコンテンツを制作するためのオーディションの実行を要請する目的でそのコンテンツ・プロフィールを制作者に明らかにする。さらに、このコンテンツ交換サービスはいろいろな制作者から制作者プロフィールを受け取り、権利保有者のコンテンツを別の形式で制作する可能性を有している制作者を権利保有者に紹介する目的で、その制作者プロフィールを権利保有者に明らかにする。他の実施形態では、制作者等はその権利保有者のコンテンツを別の形式で制作する機会に対して、競争入札において入札する。各入札にはそのコンテンツを別の形式で制作するためのコストと、そのコンテンツを制作するためのオーディションを含めることができる。
【０００６】
一人の制作者が権利保有者のコンテンツを別の形式で制作するためのオーディションを提出したら、その権利保有者は、コンテンツ交換サービスを介して、そのオーディションの内容を検討して、権利保有者が気に入った制作者との通信をすることを容易に行える。競争入札の場合、権利保有者は落札した制作者と通信することができる。１つの実施形態では、その落札はその作品を別の形式で制作するのに最も低いコストを示した入札であり得る。しかしながら、他の実施形態では、権利保有者やコンテンツ交換サービスはナレーターの経験とか声の特徴、制作者の制作履歴など他の又は追加的な基準に基づいて落札者を決める場合もある。さらに別の実施形態では、制作に関して権利保有者の要求を満たす制作者だけが入札を認められる場合もある。そうした実施形態においては、最低の入札額を示す制作者が選ばれる可能性がある。
【０００７】
制作者が選ばれると、コンテンツ交換サービスは、そのコンテンツを別の形式で制作するために権利保有者と制作者との間の制作契約のための交渉を促がすことができる。その制作契約が最終的に決まると、次に、制作者はそのコンテンツの別形式での制作物をコンテンツ交換サービスに提出し、コンテンツ交換サービスはその完全な制作物に関する承認を得るために権利保有者に示す。承認が得られれば、コンテンツ交換サービスはその別形式でのコンテンツ制作物をコンテンツ及び／又は他の商品のカタログに加えて、将来売り出したりアクセス可能にすることができる。
【０００８】
コンテンツ交換サービスの１つの実際的な適用例では、別の形式で制作されるコンテンツは最初に物理的な又は電子書籍形式の書籍である。ここで述べられているようなコンテンツ交換サービスを用いて、その最初の形式の書籍に対する権利保有者はその書籍に関するコンテンツ・プロフィールをコンテンツ交換サービスに提出して、その書籍のコンテンツ・プロフィールに基づいてその書籍をオーディオ・ブック形式で制作するために一人以上の制作者からのオーディションを受け取り、権利保有者が気に入ったオーディションを提出した制作者たちのうちの一人に対してその書籍をオーディオ・ブック形式で完全に制作することに関するオファーを行うことができる。コンテンツ交換サービスはそのオファーを制作者に伝え、制作者が受け入れれば、その書籍をオーディオ・ブック形式で制作するために権利保有者と制作者との間の制作契約の交渉を進めることができる。制作契約が最終的にまとまれば、次に、その制作者はオーディオ・ブック形式でのそのコンテンツの完全な制作物をコンテンツ交換サービスに提出し、コンテンツ交換サービスはその完全な制作物に関する承認を得るために権利保有者に示す。承認が得られれば、コンテンツ交換サービスはその完成した制作物をコンテンツ及び／又は他の商品の電子カタログに加えて、そのオーディオ・ブックが、例えばウェブ・サイドで販売されたりアクセス可能にするために利用できるようにする。
【０００９】
上記のコンテンツ交換サービスの実際的な適用例は電子書籍や物理的な本をオーディオ・ブック形式で制作する場合を想定して述べられているが、当業者であれば、コンテンツ交換サービスをほとんどどんなタイプのコンテンツも別の形式で容易に制作するために用いることができることは理解できるであろう。例えば、コンテンツはデジタル形式あるいは物理的形式の音楽、記事、映画、ビデオ・ゲーム、画像、コンピュータ・ソフトウエアなどであってもよく、そうしたコンテンツの別形式はマルチメディア形式、ビデオ形式、（アナログではなく）デジタル形式などであってよい。従って、電子書籍や物理的な本をオーディオ・ブック形式で制作するという上に述べた（以下でも再度述べるが）事例は単に例示的なもので、限定的なものと解釈すべきではない。さらに、本明細書で用いられる場合、「コンテンツ・タイトル」という用語は「コンテンツ」という用語と相互に入れかえて用いることができる。
【００１０】
さらに、権利保有者は、そのコンテンツの別形式での制作に関する権利を管理しているどんな個人あるいは実体でもよい。従って、権利保有者はそのコンテンツの作者あるいは著者、このコンテンツの保有者、そのコンテンツの出版者やレコード会社など、あるいはその代理人（又はその他の代表者）であり得る。他方、制作者はそのコンテンツを他の形式で制作できるいかなる個人あるいは実体であってもよい。例えば、制作者はナレーター、俳優、アーティスト、ソフトウエア開発者、デザイナー、制作会社、スタジオなど、あるいはその代理人（又はその他の代表者）であってもよい。いくつかの例で、制作者はそのコンテンツの著者あるいは作者であってもよい。従って、その著者あるいは作者がそのコンテンツを本開示で述べているような別の形式で制作することもできる。権利保有者と制作者はそれぞれコンテンツ交換サービス１０４に加入して、そのアカウントを保持することができる。従って、アカウントを保有する権利保有者や制作者は、権利保有者又は制作者の代理人や従業員、または他の代表者に対してサブアカウントを付与することができ、それらの者はそれぞれ上記権利保有者や制作者の利益のためにコンテンツ交換サービス１０４を利用することができる。
【００１１】
図１は、例示的なネットワーク化された作業環境１００を図式的に示しており、この作業環境１００においては、権利保有者と制作者間の通信、及びそれら権利保有者及び制作者によるコンテンツの制作をコンテンツ交換サービス１０４によって容易に行うことができる。以下により詳しく説明するように、別の形式で制作することができるコンテンツに関する関連データを、制作者のデータ処理装置１１０ａ〜１１０ｎを介して一人あるいは複数の見込み制作者等に対して利用可能にすることができる。そうした制作者等は、そのコンテンツを別の形式で制作するためにオーディション（「サンプル制作」と表現される場合もある）を提出、あるいは入札することができる。権利保有者が１つのオーディションを気に入ったり、あるいは落札者が決まった場合、そのオーディションを提出した権利保有者や制作者はそのコンテンツを別の形式で制作するための制作契約にはいることができる。そのコンテンツの別の形式での完全な制作についての権利保有者の承認が得られれば、コンテンツ交換サービスはその制作物を電子カタログに加えて、小売り又は図書アクセス用ウェブ・サイトを介して販売その他のアクセスのために、あるいは実店舗での販売又はアクセス用に利用可能にすることができる。
【００１２】
図１に示す作業環境１００は１つあるいは複数の権利保有者のコンピュータ装置１０８ａ〜１０８ｍ（それぞれ１人の権利保有者が使用している）と１つあるいは複数の制作者のコンピュータ装置１１０ａ〜１１０ｎ（それぞれ１人の制作者が使用している）間で、コンピュータ・ネットワーク１０６を介しての通信を容易にしてくれるコンテンツ交換サービスを含んでいる。権利保有者のコンピュータ装置１０８ａ〜１０８ｍと制作者のコンピュータ装置１１０ａ−１１０ｎは、ラップトップあるいはタブレット・コンピュータ、パーソナル・コンピュータ、パーソナル・デジタル・アシスタント（ＰＤＡ）、ハイブリッドＰＤＡ／携帯電話、携帯電話、電子書籍リーダー、セットトップボックス、カメラ、デジタル・メディア・プレーヤーなど、コンピュータ・ネットワーク１０６を介して通信できるものであれば、どんなデータ処理装置であってもよい。１つの実施形態では、権利保有者のコンピュータ装置１０８ａ−１０８ｍと制作者のコンピュータ装置１１０ａ−１１０ｎは、インターネットや通信リンクなどの通信ネットワーク１０６を介してコンテンツ交換サービス１０４と通信する。当業者であれば、このネットワーク１０６がいずれの有線ネットワーク、無線ネットワーク、あるいいはそれらの組み合わせであてもよいことはすぐ分かるであろう。さらに、ネットワーク１０６はパーソナル・エリア・ネットワーク、ローカル・エリア・ネットワーク、広域エリア・ネットワーク、ケーブル・ネットワーク、衛星ネットワーク、携帯電話ネットワーク、あるいはそれらの組み合わせであり得る。インターネットや、他の上に述べたタイプの通信ネットワークを介して通信するためのプロトコル及び構成要素はコンピュータ通信の分野の当業者には公知であるから、ここでは詳細に説明する必要はない。
【００１３】
コンテンツ交換サービス１０４はそれぞれ１つのコンテンツ交換サービスを実行する複数の構成要素で具体化することができ得る。コンテンツ交換サービス１０４を実施するサーバーやその他のデータ処理構成要素は、ネットワーク・インターフェース、メモリー、処理装置、及びコンピュータ読み取り可能媒体ドライブなどを含んでいてよく、それらはすべて通信バスを介して相互に通信することもできる。このネットワーク・インターフェースはネットワーク１０６及び／又は他のネットワークやコンピュータ・システムを通じて接続性を提供することができる。処理装置はコンテンツ交換サービス１０４を作動させるためにその処理装置が実行するプログラム命令を含むメモリーとの間で通信することができる。このメモリーは、通常、ＲＡＭ、ＲＯＭ及び／又は他の非一過性で持続的なそして補助的なコンピュータ読み取り可能記憶保存媒体などを含む。
【００１４】
上に述べたように、コンテンツ交換サービス１０４は権利保有者（例えば、権利保有者が利用しているデータ処理装置１０８ａ）から、あるいはその他のネットワーク・リソースから直接権利保有者のコンテンツ（ここでは「コンテンツ・プロフィール」）を受け取り、そのコンテンツ・プロフィールをネットワーク１０６を介してデータ処理装置１１０ａ〜１１０ｎを利用している制作者等に利用可能にすることができる。これも上に述べたが、コンテンツ交換サービス１０４は制作者（例えば、制作者が利用しているデータ処理装置１１０ａ）から直接、あるいはその他のネットワーク・リソースから制作者に関するデータ（ここでは「制作者プロフィール」）も受け取り、その制作者プロフィールをネットワーク１０６を介してデータ処理装置１０８ａ〜１０８ｍを利用している権利保有者に利用可能にすることができる。コンテンツ交換サービス１０４が受け取ったコンテンツ・プロフィールと制作者プロフィールは集中コンテンツ・データ・ストア１０２内に記憶保存することができる。ここでの考察の目的に即して、「集中」データ・ストアとは多数のソースから受け取ったデータを記憶保存することができるデータ・ストアを意味している。この集中データ・ストアはこの技術分野では知られているように、本開示の精神と範囲を逸脱せずに、複数の記憶保存装置間に分散・分割させることが可能である。さらに、データ・ストア２は図１ではコンテンツ交換サービス１０４に対してローカルなものとして示されているが、当業者であれば、データ・ストア１０２がコンテンツ交換サービス１０４から離れた場所にあっても、及び／又はそれ自体がネットワークに基づくサービスであっても差し支えない。
【００１５】
上に述べたように、見込み制作者に対してコンテンツを明らかにし、さらに、権利保有者に対しては見込み制作者を明らかにする目的で、コンテンツ交換サービス１０４は権利保有者と制作者間の通信とそれらの者によるコンテンツの制作を容易に実行できるようにしてくれる。コンテンツ交換サービス１０４によって提供されるフロントエンド通信は権利保有者データ処理装置１０８ａ−１０８ｍ及び／又は制作者データ処理装置１１０ａ−１１０ｎから受信された情報問い合わせに応じて発生され、例えばハイパーテキスト・トランスファーＨｙｐｅｒｔｅｘｔ  Ｔｒａｎｓｆｅｒ）あるいはその他のプロトコルを用いるインターフェースとして構成されたテキスト及び／又はグラフィックスを発生させるステップを含むこともできる。こうしたインターフェースの非限定的事例を図３Ａ〜３Ｄ、４、６、７、９、１０、１１Ａ〜１１Ｂ及び１３〜１５に示す。
【００１６】
図２は図１に示す作業環境のブロック図であり、いろいろな権利保有者のデータ処理装置１０８ａ〜１０８ｍからコンテンツ・プロフィールを、そして、いろいろな制作者のデータ処理装置１１０ａ−１１０ｎから制作者プロフィールを受け取るコンテンツ交換サービス１０４を示す。図２には示されていないが、当業者であれば、これらのコンテンツ・プロフィールと制作者プロフィールがネットワーク１０６を介してコンテンツ交換サービス１０３に送られ、集中コンテンツ・データ・ストア１０２内のコンテンツ交換サービス１０４によって記憶保存されることは分かるであろう。上に述べたように、そして以下に図５を参照してさらに詳しく説明するように、コンテンツ交換サービス１０４はその後でこれらコンテンツ・プロフィール内のコンテンツ内容を他の形式で制作するためにオーディションを要請するか、あるいはその他何らかの方法でその機会を公開する目的で、受け取られたコンテンツ・プロフィールを制作者等に明らかにする。さらに、コンテンツ交換サービス１０４は、権利保有者等をその権利保有者のコンテンツを別の形式で制作することができる制作者等に紹介する目的で、それらの制作者プロフィールを権利保有者等に明らかにすることができる。
【００１７】
図３Ａ〜３Ｂは、その権利保有者が別の形式で制作されることを希望しているコンテンツ・タイトルに関するデータをコンテンツ・プロフィールに入力するように促す例示的なユーザー・インターフェース３００、３０１、３０３、及び３０３を示す。図示の目的で、このコンテンツはその権利保有者がオーディオ・ブックの形式で制作してもらいたいと考えている書籍（物理的な形式か、または電子書籍の形式）である。しかしながら、上にも述べたように、当業者であれば、これがコンテンツ交換サービス１０４の適用の非限定的例であることは分かるであろう。
【００１８】
図３Ａに示すように、権利保有者は自分がオーディオ・ブック形式で制作してもらいたい書籍３０８又は３１２のタイトルを選択したり入力することができる。ここで用いられている場合、『書籍タイトル』とはオーディオ・ブック形式で制作されるべき書籍を示す表示のことだけを意味しており、従って、この明細書では『書籍』という用語と相互に入れ換え可能である。同様に、『コンテンツ・タイトル』という用語は『コンテンツ』という用語と相互に入れ換え可能である。コンテンツ・タイトルという用語が書籍や音楽レコード、映画、ソフトウエア・プログラム、ビデオ・ゲームなどを示すために使われ得る。
【００１９】
いくつかの実施形態では、一人の権利保有者がオーディオ・ブック形式で制作してもらいたいと考えている１冊あるいは数冊の書籍タイトルを保有している場合がある。従って、その権利保有者はユーザー・インターフェース３００から検索オプション３０２を選択してその権利保有者の氏名など検索問い合わせを検索フィールド３０４に入力することによって、自分が権利を管理している書籍タイトルを検索することができる。それに応答して、コンテンツ交換サービス１０４はコンテンツ・データ・ストア１０２の検索を行ってその検索問い合わせに合致する可能性のある書籍タイトルを特定し、権利保有者が見て確かめることができるようにユーザー・インターフェース３００内に検索結果３０５を示す。１つの実施形態では、権利保有者はその権利保有者がその書籍に関するコンテンツ・プロフィールをコンテンツ交換サービス１０４に提出するために、オーディオ・ブック形式で制作する書籍タイトルに対する権利を管理していることを主張しなければならない場合がある。その権利保有者がそうした権利を管理していることを確認したり証明したりするために時間も経費もかかり煩雑なプロセスを実行するのではなく、コンテンツ交換サービス１０４は、権利保有者に対して、権利主張コントロール３１０を選んでコンテンツ交換サービス１０４の運用者から送られたサービス条件を受け入れることによって、そのコンテンツ・タイトルに対する権利、例えばオーディオ・ブック権を管理していることを肯定的に主張するように求める場合もある。権利保有者による権利主張コントロール３１０の選択に加えて、あるいはその代わりに、コンテンツ交換サービス１０４は、最初の形式（例えば、物理的書籍あるいは電子書籍形式）の書籍タイトルが、認知されている配布ウェブ・サイトなど第三者ネットワーク・リソースによって購入やアクセスするために利用可能なのかどうかを判断することで、その権利保有者がその書籍タイトルをオーディオ・ブック形式で制作する権利を管理していることを確認することもできる。あるいは、又はさらに、コンテンツ交換サービス１０４はその最初の形式で公共ドメインにすでに供されているか、あるいはそれに対応するオーディオ・ブックがすでに利用可能になっている禁止書籍タイトルのリストとその書籍タイトルを比較することによって、その権利保有者がその書籍タイトルをオーディオ・ブック形式で制作する権利を管理していることを確認することもできる。その書籍タイトルが禁止リストに掲載されていれば、そのコンテンツ・タイトルに対して権利を主張している権利保有者は、実際にはその書籍タイトルをオーディオ・ブック形式で制作する権利を管理していないのであって、そうした権利を主張することは、コンテンツ交換サービス１０４によっては認められないであろう。あるいは、又はさらに、コンテンツ交換サービス１０４はその書籍タイトルが公知の出版社によって物理的あるいは電子書籍形式で出版されているかどうかを判定するために、その書籍タイトルを承認された出版社の図書の承認されたリストと比較することもできる。そうした場合、そのコンテンツ・タイトルをオーディオ・ブック形式で制作するのに正当化するのに十分な需要があると想定することができる。
【００２０】
権利保有者がユーザー・インターフェース３００で自分がその書籍タイトルをオーディオ・ブック形式で制作する権利を管理していると主張したら、その権利保有者は継続コントロール３１１を選択して、その書籍タイトルに関するコンテンツ・プロフィールの構築を継続することができる（あるいは、その権利保有者はそのコンテンツ・プロフィールの構築をキャンセルすることもできるし、コンテンツ・プロフィール構築のこの部分をスキップすることもできる）。これに関連して、コンテンツ交換サービス１０４は図３Ｂに示すようにデータ処理装置１０８ａを利用して、権利保有者に表示するためにユーザー・インターフェース３０１を作成することができる。このユーザー・インターフェース３０１は、その権利保有者に対して、その権利保有者が制作に関して望む１つ以上の要件を指定するその書籍タイトルに関するクリエイティブ・ブリーフ（制作要件要約）３１４を構成するように促す。このクリエイティブ・ブリーフ３１４はその書籍タイトルに関する説明３１６と、その書籍タイトルをオーディオ・ブック形式で制作するための１つ以上の要件を入力するように権利保有者に促す多数のフィールドを含むことができる。例えば、"Ｍｙ  Ｌｉｆｅ  ｉｎ  ａ  Ｎｕｔｓｈｅｌｌ"と題する書籍に関して、その権利保有者はフィールド３１８で、その書籍が書かれている視点（例えば、第１人称の人物、第３人称の人物など）を示すことができる。権利保有者はまた、ユーザー・インターフェース３０１内に示されているプルダウン・メニュー３２０からカテゴリーはジャンルを選択することにより、その書籍のカテゴリーやジャンルを入力することができる。権利保有者は又、性別や声のスタイル、キャラクタの年齢、言語、なまりなど、制作者に望まれる１つ以上の要件を示すこともできる。図３Ｂに示されている例では、そうした声の要件はいろいろなプルダウン・メニューから権利保有者が選択することができる。しかしながら、当業者であれば、本開示の精神と範囲から逸脱せずに、いろいろなプロンプト及び／又は入力メカニズムを実行できることはすぐ理解できるであろう。さらに、当業者であれば、より多数、あるいはより少数、あるいは異なった声の要件をユーザー・インターフェース３０１内に選択のために示すことができること、及び／又は、その書籍のコンテンツ・プロフィール内にその権利保有者によって指定することができることは、容易に理解できるであろう。
【００２１】
声の要件３２２に加えて、権利保有者は書籍タイトル及び／又は望ましいオーディオ・ブックに関するコメントをフィールド３２４に入力し、その書籍をオーディオ・ブックとして制作するためのオーディションを提示するために制作者が使えるフィールド３２６に入力することができる。権利保有者は又、ユーザー・インターフェース３０１内のデータ・フィールド３２８内に望ましい期限を入力することによって、そのオーディオ・ブックを制作するための制作スケジュールを指定することもできる。１つの実施形態では、その制作スケジュールは少なくとも２つの期限、すなわち（１）権利保有者がそのオーディオ・ブックを気に入っていること、及び／又はそのオーディオ・ブックが制作契約の条件を満たしていることを確認するために権利保有者が検討できるようにするために、その制作者がそのオーディオ・ブックの第１の部分（例えば、最初の１５分）を提出しなければならない期限、及び（２）権利保有者が検討するために完成されたオーディオ・ブックを提出しなければならない期限、を含むことができる。権利保有者が要求されたデータを入力したら、その権利保有者は引き続き、ユーザー・インターフェース３０１内で継続（ｃｏｎｔｉｎｕｅ）コントロール３３０を選択することでそのコンテンツ・タイトルに関するコンテンツ・プロフィールの構築を行うことができる（あるいは、その権利保有者はコンテンツ・プロフィールの構築をキャンセルすることもできるし、コンテンツ・プロフィール構築のこの部分をスキップすることもできる）。
【００２２】
書籍に対する権利が主張され、その書籍に関するクリエイティブ・ブリーフが構築されたら、権利保有者は図３Ｃに示すようにユーザー・インターフェース３０３を介してその書籍に関するコンテンツ・プロフィールで支払条件３３８を指定することができる。１つの実施形態では、支払条件はオーディオ・ブック制作のための時間料金に基づく場合もある。従って、権利保有者はフィールド３３２に書籍、図示されている例では"Ｍｙ  Ｌｉｆｅ  ｉｎ  ａ  Ｎｕｔｓｈｅｌｌ"内に含まれている語数を入力することができる。そうすると、コンテンツ交換サービス１０４は完成したオーディオ・ブック１時間あたりの平均ワード数に基づいてそのオーディオ・ブックの時間長の見積もり３３４を計算することができる。次に、権利保有者は時間料金フィールド３３６内に時間制料金を入力することで、そのオーディオ・ブックを制作するためにその制作者に支払うことを選択する。そうすると、コンテンツ交換サービス１０４は完成したオーディオ・ブックの見積もられた時間長と時間料金に基づいて、その制作者に対する支払総額３３７を計算して提示する。あるいは、権利保有者は制作者に対してロイヤリティ・シェア・オプション３３９を選択して、制作されたオーディオ・ブックの売り上げに基づいてロイヤリティ・シェア（売り上げ配当）を支払うことを選択することもできる。図示されている例では、適用されているロイヤリティ・シェアは１０％である。しかしながら、当業者であれば、本開示の精神と範囲を逸脱せずに、ユーザー・インターフェース３０３を介して権利保有者が別の及び／又は変動制ロイヤリティ・シェアを提示できることは、分かるであろう。
【００２３】
支払額に加えて、権利保有者はそのオーディオ・ブックに関して実施したい配布のタイプやロイヤリティを指定することもできる。図示されている例では、権利保有者はコンテンツ交換サービス１０４の運用者あるいは他者によるそのオーディオ・ブックに対しての独占配布に関するオプション３３８を選ぶこともできる。従って、その運用者によるオーディオ・ブックの販売に関してより高いロイヤリティ・シェアをコンテンツ交換サービス１０４の運用者から受けとることになる。あるいは、権利保有者は非独占配布オプション３４３を選択することもでき、その場合は、そのオーディオ・ブックはコンテンツ交換サービス１０４の運用者及び第三者の配布ウェブ・サイトなどのその他の者によって配布されることになる。
【００２４】
最後に、権利保有者は自分がコンテンツ交換サービス１０４の運用者がそのオーディオ・ブックのＣＤ−ＲＯＭを制作・配布することを望むかどうかを指定することができる。望むのであれば、そのＣＤ−ＲＯＭを購買や貸し出しのために利用可能にすることができる。その権利保有者がコンテンツ・タイトルに対する支払条件３３８の指定を完了したら、その権利保有者は自分が構成したコンテンツ・プロフィールを検討するために継続コントロール３４１を選択することができる（あるいは、その権利保有者はそのコンテンツ・プロフィールの構築をキャンセルしたり、コンテンツ・プロフィール構築の支払い条件部分３３８をスキップすることもできる）。
【００２５】
コンテンツ交換サービス１０４は権利保有者によって構築されたその書籍に関するコンテンツ・プロフィールを検討３４２するために、図３Ｄに示されているようなユーザー・インターフェース３０５を作成することができる。当業者であれば、コンテンツ交換サービス１０４によってコンテンツ・プロフィール検討のために作成されるユーザー・インターフェースがコンテンツ交換サービス１０４によって、検討の内容によって（例えば、コンテンツ・プロフィール編集確認のための権利保有者による検討、あるいは、コンテンツ・プロフィール検討のための制作者による検討、及び／又はその書籍タイトルのオーディオ・ブック制作のためのオーディション提案のため、など）、権利保有者と制作者のいずれにでも提供できることは分かるであろう。書籍タイトル３４３の表示に加えて、ユーザー・インターフェース３０５は権利保有者によって事前に指定された制作スケジュール３４４、及びその権利保有者によって事前に指定された、支払い条件に関わる、いかなるデータ３４６も表示することができる。さらに、ユーザー・インターフェース３０５は、その権利保有者のコメント３５６と制作者に対する声の要件３５８を含む「この書籍について」タブ３４８、そのオーディオ・ブックを制作するためのオーディションのアップロードに関する制作者への指示及びそれを可能ならしめるアップロード・オーディション・タブ３５０、制作者に対して権利保有者による検討のために完成したオーディオ・ブックのアップロードを指示しそれを可能ならしめる、あるいは権利保有者に対してその完成したオーディオ・ブックを検討・承認できるようにするオーディオ・ブック制作タブ３５２、そして、そのオーディオ・ブックに関するセールス要約レポートを示すオーディオ・ブック・セールス・タブ３５４を提示することができる。
【００２６】
制作者のデータ処理装置１１０ａを用いている制作者は、コンテンツ交換サービス１０４によって作成される類似のユーザー・インターフェースを介して自分の制作経歴を述べた制作者プロフィールを構成することができる。図示はされていないが、コンテンツ交換サービス１０４はデータ処理装置１１０を用いている制作者に対して、とりわけ、（１）オーディオ・ブック制作におけるその制作者の能力及び経験に関するデータ４を入力し、（２）オーディオ・ブックあるいはその他のオーディオ・サンプルを制作するためのオーディションを付加あるいはアップロードし、（３）その制作者が望んでいる支払条件を入力するように促す１つ以上のユーザー・インターフェースを発生させて、その制作者に提示する。さらに、それらのユーザー・インターフェースは制作者に対して、１つ以上の声の要件（性別、声のスタイル、登場人物の年齢、言語、なまりなど）及び／又は音声属性（ボリューム、特殊効果など）、その制作者がオーディションを準備するための前提条件を入力するように促すことができる。制作者によって上記のデータが入力され、コンテンツ・データ・ストア１０２内に記憶保存するためにコンテンツ交換サービス１０４に送られたら、コンテンツ交換サービス１０４は、図４に示されているような、制作者が制作者プロフィールを検討できるようにするユーザー・インターフェース４００を発生させることができる。図示されている例では、制作者あるいはオーディオ・ブックの場合であればナレーターはその制作者プロフィールを検討することができる。従って、ユーザー・インターフェース４００はナレーターの能力と経験に関する短い説明（例えば、ナレーション経験８年など）と、事前にナレーターによって入力された支払条件（例えば、完成オーディオ・ブック１時間あたり５０．００ドル〜２００．００ドル、あるいは、ロイアリティ・シェア）を含めることができる。ナレーターによってアップロードされコンテンツ交換サービス１０４に送られたオーディオ・サンプルは、ユーザー・インターフェース４００内のオーディオ・サンプル・タブ４０６の下に要約的に示される。そうしたオーディオ・サンプルにはオーディオ・ブックを制作するために権利保有者に送られるオーディションが含まれ得る。
【００２７】
図４に示す例では、ナレーターは書籍タイトルＡのオーディオ・サンプル４１６を自分の制作者プロフィールに加えてある。制作者プロフィールを視る人（この説明の流れでは制作者、別の場合であれば興味を持った権利保有者）がユーザー・インターフェース４００からプレイ・コントロール４１４を選択してタイトルＡのオーディオ・サンプルを聴くことができる。１つの実施形態では、サンプルの長さは３０秒間で、ユーザー・インターフェース４００においてそのように反映されている。しかしながら、当業者であれば、サンプルの時間的な長さは、コンテンツ交換サービス１０４が容認し、そのオーディオ・サンプルを作成したナレーターが指定し、サンプルが作成される書籍の権利保有者によって指定されたいかなる長さでもよいことは容易に分かるであろう。オーディオ・サンプルに加えて、ユーザー・インターフェース４００はナレーターがそのオーディオ・サンプルを制作した声の要件４１８を示すこともできる。図示されている例では、声の要件４１９はその書籍のカテゴリーあるいはジャンル（例えば、ミステリー）、主要人物の性別（例えば、女性）、その人物の年齢（例えば、３０〜５５超）、（例えば、ドイツ語あるいはフランス語なまり）、及び言語（例えば、英語及びフランス語）を含んでいる。しかしながら、当業者であれば、より多くの、あるいはより少数の、そして異なった声の要件４１９をナレーターが入力して制作者プロフィール内に記憶保存しておいてよいことは容易に分かるであろう。さらに、ユーザー・インターフェース４００は、ナレーターがそのオーディオ・サンプルを制作した声の要件やスタイルを特定するためにそのナレーターが提供するキーワードを含むことができる。そうしたキーワードは、例えば、「興奮した」、「動揺した」、「意気消沈した」などの声のスタイルを説明する形容詞を含んでいてもよい。同じあるいは類似のキーワードを含んでいる他の人々による検索照会に応じてそのナレーターのプロフィールを明らかにするために、そのナレーションの声のスタイルを説明する、実質上いかなる形容詞もナレーターによって提供することができ、そして、コンテンツ交換サービス１０４によって用いることができる。
【００２８】
最後に、図示されている例では、ユーザー・インターフェース４００はナレーターが入力した演技ノート（業務日誌）４２０を含んでおり、これはナレーターの演技あるいはオーディオ・サンプルにおけるナレーションについて述べており、そのナレーターの制作者プロフィールを視ている権利保有者がそのナレーターを選択するかどうかを判断するのに役立つものである。図には示していないが、アバウト（ａｂｏｕｔ）タブ４０８、授与された賞／表彰タブ４１０あるいは功績タブ４１２を選択することで、そのナレーターの能力と経験に関する他のデータを示すこともできる。
【００２９】
上に述べたように、権利保有者と制作者が相互に通信できるようにすると同時に、それらの者によるコンテンツの制作も容易にできるようにするために、複数の権利保有者がコンテンツ交換サービス１０４に対してコンテンツ・プロフィールを送ることができ、複数の制作者がコンテンツ交換サービス１０４に対して制作者プロフィールを送ることができる。１つの実施形態では、制作者は権利保有者等が権利を主張し、コンテンツ・プロフィールがコンテンツ交換サービス１０４に送られているコンテンツ・タイトルを検索することができる。図５に示すように、制作者データ処理装置１１０ａを用いている制作者はそうした検索の結果からコンテンツ・プロフィールを選択し、そのコンテンツ・プロフィールのコンテンツ・タイトル内容を別の形式で制作するためのオーディションを提出することができる。当業者であればすぐ分かるように、その制作者はコンテンツ・タイトル、制作者の氏名、その制作者の経歴、支払条件、声の要件、声のスタイルなど、制作者プロフィール内に見出される制作者に関するどんなデータでも用いて、コンテンツ・データ・ストア１０２内に記憶保存されているコンテンツ・タイトルを検索することができる。その検索はコンテンツ交換サービス１０４が実施している検索エンジンを用いて自動的に行うこともできるし、及び／又は、その検索においては属性に基づくナヴィゲーションを利用することもできる。後者の場合、コンテンツ・プロフィールを探し出すことに関心を有する制作者は複数のコンテンツ・プロフィールが属性毎に整理されている１つの階層的なフィールドをナビゲートすることができる。さらに別の実施形態では、コンテンツ交換サービス１０４はその制作者のプロファイル、他の人々の制作者プロフィール、及び／又はコンテンツ・プロフィールに基づいて制作者に対しコンテンツ・プロフィールを推奨することもできる。
【００３０】
図５に示すように、制作者データ処理装置１１０ａを用いている制作者が１つのコンテンツ・プロフィールを選択したら、コンテンツ交換サービス１０４は選択されたコンテンツ・タイトルに関するコンテンツ・プロフィールをその制作者のよる検討のために制作者データ処理装置１１０ａに送り返すことができる。そのコンテンツ・プロフィール内に見出されるコンテンツ・プロフィールに関するデータに基づいて、その制作者は別の形式でそのコンテンツ・タイトルを制作するためにオーディションを用意して、それを制作者データ処理装置１１０ａにアップロードすることができる。例えば、書籍の場合、その制作者あるいはナレーターはそのオーディションの台本（スクリプト）を音声で語って、そのスクリプトはその書籍のコンテンツ・プロフィール内に含まれる。次に、ナレーターはそのナレーションのデジタル・オーディオ・ファイルを制作者データ処理装置１１０ａにアップロードする。そのデジタル・オーディオ・ファイルは、ナレーターによって、自分の録音設備あるいはスタジオなど第三者の録音設備を用いて、制作することができる。１つの実施形態では、そのデジタル・オーディオ・ファイルはＭＰ３ファイルである。しかしながら、他の実施形態では、デジタル・オーディオ・ファイルはスマートフォーンやパーソナル・デジタル・アシスタントなど録音性能を有しているその他のデータ処理装置を用いて作成することもできる。さらに別の実施形態では、制作者はコンテンツ交換サービス１０４及び／又はコンテンツ交換サービス１０４の運用者に関係した所定の電話番号に電話をして、音声録音を行うこともできる。この実施形態の場合、コンテンツ交換サービスに音声録音のデジタル・オーディオ・ファイルが提供される。
【００３１】
アップロードされたら、制作者データ処理装置１１０ａはコンテンツ交換サービス１０４にオーディション（より具体的にはそのオーディションのためのデジタル・オーディオ・ファイル）を送り、コンテンツ交換サービス１０４は権利保有者にそのオーディションのことを知らせる。図５には示していないが、コンテンツ交換サービス１０４はその送られたオーディションをコンテンツ・データ・ストア１０２内にそのコンテンツ・タイトルに関するコンテンツ・プロフィールと組み合わせて記憶保存する。上に述べたことと図５から分かるように、データ処理装置１１０を用いている複数の制作者がコンテンツ交換サービス１０４に対して、特定のコンテンツ・プロフィールのためのオーディションを送ることができる。従って、特にそのコンテンツ・タイトルが人気が高い場合、ひとつのコンテンツ・タイトルに対して複数のオーディションがある可能性もある。以下に詳細に述べるように、そのコンテンツ・タイトルの権利保有者は、次に、その権利保有者のデータ処理装置１０８ａを用いてそれらのオーディションを聴き、その権利保有者が気に入ったオーディションに関して、それぞれの制作者に連絡して、それらの制作者からより詳細な情報を求めたり、及び／又は、それぞれの制作者に対して、コンテンツ交換サービス１０４を用いて、そのコンテンツを別の形式で制作するために、オファーを行う。
【００３２】
図６は、コンテンツ交換サービス１０４によって作成され制作者に提示される例示的なユーザー・インターフェース６００で、オーディオ・ブック形式での制作に利用できる書籍タイトルの検索結果を示す。図示されている例では、ユーザー・インターフェース６００のタイトル発見タブ（ｆｉｎｄ  ｔｉｔｌｅｓ  ｔａｂ）６０２で書籍タイトルを検索している制作者は、性別６０６、視点（ｐｏｉｎｔ−ｏｆ−ｖｉｅｗ）タブ６０８、カテゴリー６１０、登場人物の年齢６１２、なまり６１４などの声の要件、及び／又は支払条件６１６に関するキーワードを、選択可能リストやドロップダウン・メニュー、あるいはその他の入力機構を選択してテキスト・フィールドに入れることで入力することができる。それに応答して、コンテンツ交換サービス１０４は制作者によって入力されたキーワードに合致する書籍タイトルのリスト６１８を作成することができる。図示されている例では、３つの合致する書籍タイトルが示されている。この検索結果の１つ、例えば"Ｍｙ  Ｌｉｆｅ  Ｉｎ  ｎ  Ｎｕｔｓｈｅｌｌ"を選択することによって、コンテンツ交換サービス１０４はその制作者にその選択された書籍タイトルに関するコンテンツ・プロフィールを示すためのユーザー・インターフェースを発生することができる。
【００３３】
図示されてはいないが、コンテンツ交換サービス１０４は、権利保有者のコンテンツを別の形式で制作することができ、及び／又はそのために利用できる制作者に関する検索の結果を権利保有者に示すユーザー・インターフェースを発生することもできる。図示されている例の場合では、権利保有者はユーザー・インターフェース６００から制作者発見タブ６０４を選択して、書籍タイトルの選択に関連して上に述べたのと同じような手順で制作者の検索を行うことができる。当業者であれば、そうした場合に、権利保有者が一人の制作者を選んで、より多くの情報を求めたり、その制作者からのオーディションを検討することなしに、そして、制作者の方もオーディションを提出せずに、そのコンテンツを別形式で制作するためのオファーを行うことができるのは容易に分かるであろう。実際に、制作者が権利保有者に選ばれたり、権利保有者がその制作者と通信を監視するためにコンテンツ交換サービス１０４に対して制作者がオーディションを提出することは必ずしも必要ではない。
【００３４】
図６に戻ると、検索結果６１８で制作者が１つの書籍タイトルを選択すると、コンテンツ交換サービス１０４は、その制作者が検討できるようにその書籍に関するコンテンツ・プロフィールを示す図７に示すようなユーザー・インターフェース７００を作成することができる。ユーザー・インターフェース７００はその書籍のタイトル７１４と権利保有者が指定するようにそのオーディオ・ブックを制作するための制作スケジュール７１２を含んでいる。さらに、ユーザー・インターフェース７００はそのオーディオ・ブック制作に関して権利保有者から指定された支払条件、想定される長さ、出版日時、配布権に関するデータ７１６を含むことができる。
【００３５】
そのコンテンツ・プロフィールを検討した制作者７１０がその書籍をオーディオ・ブック形式で制作するためにオーディションを提出することを希望する場合は、その制作者はユーザー・インターフェース７００からアップロード・オーディション（ｕｐｌｏａｄ  ａｕｄｉｔｉｏｎ）タブ７２０を選択することができる。このタブは、その制作者に対してオーディションに関するデジタル・ファイルの作成とアップロードを指示するものである。図示されている例では、アップロード・オーディション（ｕｐｌｏａｄ  ａｕｄｉｔｉｏｎ）タブ７２０はその書籍の権利保有者によって提供されたオーディション・スクリプト（台本）７２８も含んでいる。制作者がそのスクリプトのナレーションを録音してそれに関するデジタル・オーディオ・ファイルを作成すると、その制作者はアップロード・コントロール７２６を選択して、そのデジタル・オーディオ・ファイルをその制作者のデータ処理装置１１０ａにアップロードして、オーディション（より具体的に言えば、そのオーディションのデジタル・オーディオ・ファイル）をコンテンツ交換サービス１０４に送る。  図示されてはいないが、アップロード・コントロール７２６の選択によって、コンテンツ交換サービス１０４はデータ処理装置１１０ａを介して、オーディションの準備とアップロードに関してさらに制作者に指示を与える１つ以上のユーザー・インターフェースを作成して、その制作者のデータ処理装置１１０ａを介してその制作者に提示することができる。
【００３６】
図８に示すように、コンテンツ交換サービス１０４は、コンテンツ・タイトルの権利保有者に、制作者データ処理装置１１０ａ〜１１０ｎを使って１人あるいは複数の制作者によって提出されたそのコンテンツ・タイトルを別の形式で制作するための１つ以上のオーディションを示すことができる。その１つ以上のオ−ディションを、コンテンツ交換サービス１０４で作成され、権利保有者のデータ処理装置１０８ａによって表示されるユーザー・インターフェースを介して権利保有者に示すことができる。そのコンテンツ・タイトルに関して送られたオーディションを聞いた後、その権利保有者のデータ処理装置１０８ａを使っている権利保有者はそのコンテンツを別形式で制作するために制作者にオファーを送ることができる。コンテンツ交換サービス１０４はその権利保有者によって為されたオファーをコンテンツ・データ・ストア１０２内に記憶保存して、その制作者によって用いられている制作者データ処理装置１１０ａに対してそのオファーに関する通知を送る。制作者はそのオファーを受け入れるか、カウンターオファーを行うことができる。従って、制作者データ処理装置１１０ａは、コンテンツ交換サービス１０４を介して権利保有者データ処理装置１０８ａに承諾あるいはカウンターオファーを送る。このようにして、権利保有者と制作者はそのコンテンツを別形式で制作することに関する契約を交渉することができる。従って、最終的なオファーが受け取られて制作契約が成立するまで、種々のオファー及びカウンターオファーを制作者と権利保有者の間でやり取りすることができる。１つの実施形態では、権利保有者と制作者間のオファーの交換を促すために、電子メールやテキスト・メッセージやインスタント・メッセージや、ユーザー・インターフェース（例えば、ポップアップ・ボックス、ウィンドウ、チャット・フィールドなど）を利用する他の自動的なプロセスを介して、交渉プロセスが電子的に行われる。その他の実施形態では、その交渉は対面あるいは電話を介して行われる。１つの実施形態では、権利保有者及び／又は制作者の契約情報などすべての、あるいは一部の個人情報が、その権利保有者と制作者による事前の了解なしに開示されたり共有されたりしないようにするために、コンテンツ交換サービス１０４によって安全管理措置が実施される。個人情報の非限定的事例としては、電話番号、メール・アドレス、所在地住所、代理人に関する情報、雇用者情報などがある。さらに、コンテンツ交換サービス１０４は関与する権利保有者等と制作者等がそのサービスに関するアカウントを有していなければならないことと、交渉を開始し、及び／又は、コンテンツ・プロフィールと制作者プロフィールを見るためにログインしなければならないことを要求する。当業者であれば、コンテンツ交換を介して実行されるオファー及び承諾プロセス（安全管理が行われている場合とない場合がある）がその権利保有者と制作者のいずれかが制作に関するオファーやカウンターオファーを受け入れるまで続く双方向のプロセスであることは、容易に理解できるであろう。交渉を順調に進めるために、コンテンツ交換サービス１０４は権利保有者と制作者にオファー及びカウンターオファーに関する期限を設定することができる。オファーが受け入れられ、制作契約が成立すると、制作者はそのコンテンツを別形式で制作することを開始することができる。
【００３７】
図９は、権利保有者に示される例示的なユーザー・インターフェース９００で、権利保有者が権利を保有し、それに基づいて権利保有者がオーディオ・ブックを制作するために新しいオーディションにアクセスできる書籍タイトルの要約を示す。この例示的な事例においては、権利保有者がコンテンツ交換サービス１０４にログインしてユーザー・インターフェース９００が示されると、権利保有者には新しいオーディションについての通知が行われる。図９に示すように、ユーザー・インターフェース９００は、オーディションを受ける書籍タイトル９００、そのオーディオ・ブックが制作中の書籍タイトル９０６、及びオーディオ・ブック制作が完了している書籍タイトル９０８を要約して示す。オーディションを受けている書籍タイトル９０４に関しては、その書籍のタイトル９０９をハイパーリンクで示して、権利保有者がそのリンクを選択してその書籍タイトル９０９に関するコンテンツ・プロフィールを検討するために図３Ｄに示し、上にも説明したユーザー・インターフェース３０５のようなユーザー・インターフェースが提示されるようにする。さらに、このコンテンツ・タイトルに関する新しいオーディションへのリンク９１０をユーザー・インターフェース９００内に示し、ならびに、その書籍タイトル９０９に関して掲示されているオーディションの数を示すことができる。オーデイション・リンク９１０が選択されたら、以下に図１０を参照してより詳細に示すような、新しいオーディションを閲覧するためのユーザー・インターフェース１０００が示される。ユーザー・インターフェース９００は、その書籍タイトルに関連して受信したメッセージの総数と共に、そのオーディションに関連して受信したいずれかの新しいメッセージに対するリンク９１２を含んでいる場合もある。その新しいメッセージ・リンク９１２を選択することにより、その権利保有者にはその権利保有者に送られた新しいメッセージを含む１つ以上のユーザー・インターフェースが示される。例えば、その新しいメッセージは制作者によって送られた新しいオーディションに関係し得、その制作者がそのオーディションを検討する場合にその権利保有者にとって興味があり、又は役立つと考える追加的な情報を含んでいる。図に示されている例では、権利保有者はプロフィール編集リンク（ｅｄｉｔ  ｐｒｏｆｉｌｅ  ｌｉｎｋ）９１４を選択して、上に述べたユーザー・インターフェース３０１及び３０３のようなユーザー・インターフェースを提示され、その書籍タイトルに関するクリエイティブ・ブリーフを変更したり修正したりすることができる。当業者であれば、１つの書籍タイトルに関して送られたオーディションの一部あるいはすべてを聴いた後で、その権利保有者がその書籍タイトルに関するクリエイティブ・ブリーフを修正したり、その制作に関連した声の要件、支払条件などの１つあるいは複数を変更したいと望む場合もあるであろう。
【００３８】
また図９に示すように、権利保有者は休止リンク（ｐａｕｓｅ  ｌｉｎｋ）９１６を選択することによってそのコンテンツ・タイトルに関するコンテンツ・プロフィールを一時的に隠すことができる。この機能は、権利保有者がそのコンテンツ・タイトルに関するさらなるオーディションを受け取ることを望まなかったり、及び／又は、さらなるオーディションを受け取らずに新しいオーディションを検討するのに時間的な猶予を望む場合に、役立ち得る。
【００３９】
上に述べたように、ユーザー・インターフェース９００はその権利保有者のために現在オーディオ・ブック形式で制作中の書籍タイトルを確認するためにも役立ち得る。従って、権利保有者は制作中のオーディオ・ブックの経過を追跡することができるし、それらの書籍タイトルのオーディオ・ブック制作を終了すべき時間についても判断することができる。タイトル・リンク９１８はその権利保有者の現在制作中の各書籍タイトルに関して同様に提供される。さらに、作成者リンク９２０を含めることができ、それにより、権利保有者がそのリンクを選択した場合に、その制作者に関する制作者プロフィールを提示するためのユーザー・インターフェース４００のようなユーザー・インターフェースをコンテンツ交換サービス１０４により作成して、権利保有者のデータ処理装置１０８ａを介してその権利保有者に提示することができる。さらに、その制作を終了するように予定されている日付９２２をユーザー・インターフェース９００内で提示することができる。図示されている例では、権利保有者はクローズ・リンク（ｃｌｏｓｅ  ｌｉｎｋ）９２４を選択することにより、制作中止を選択することができる。クローズ・リンク９２４の選択で１つまたは複数のユーザー・インターフェースが示され（図示せず）、これを用いて権利保有者は、例えば、コンテンツ交換サービス１０４に制作者からいかなるファイルも受け取らないように、及び／又は、制作者に制作を打ち切ることを通知することによって、そのオーディオ・ブックの制作を中止することができる。
【００４０】
完成したオーディオ・ブック９０８に関しては、ユーザー・インターフェース９００はそのオーディオ・ブックが完成した書籍タイトルに関するタイトル・リンク９２６と、その完成したオーディオ・ブックの作成者を特定するための制作者リンク９２８を含むことができる。さらに、ユーザー・インターフェース９００には、特定の日付時点での販売総数９３０に関するデータ、ならびに、そのオーディオ・ブックの制作が完了した日付９３２を含めることができる。
【００４１】
当業者であれば、受け取った書籍タイトルに関するオーディション、制作中のオーディオ・ブック、完成したオーディオ・ブックに関して異なった、追加的な、あるいはより少ないオプションを権利保有者に示し得ることは容易に分かるであろう。さらに、図９には受領しているオーディション、制作中、あるいは完了したものとして１つだけの書籍タイトルが示されているが、当業者であれば、権利保有者が権利を主張しているさらなる書籍タイトルを表示し得ることは理解できるであろう。
【００４２】
権利保有者がユーザー・インターフェース９００で新しいオーデイション・リンク９１０を選択した場合は、コンテンツ交換サービス１０４は受け取った新しいオーディションを検討のために権利保有者に提示するために、図１０に示すようなユーザー・インターフェース１０００を発生することができる。図示されている例では、"Ｍｙ  Ｌｉｆｅ  ｉｎ  ａ  Ｎｕｔｓｈｅｌｌ"という書籍に関して、３つの新しいオーディション１００２、１０１４、及び１０２６が受け取られている。第１のオーディション１００２はＪａｎｅ  Ｐｒｏｄｕｃｅｒ１００４から受け取ったものである。権利保有者はプレイ・コントロール１００８を選択することで、この第１のオーディション１００２を聴くことができる。オーディションに関連して制作者によって自分の制作者プロフィールに指定された支払条件１００６、ならびに、制作者がそのオーディションを作成した声の要件１００７を表示することができる。図示されている例において、その権利保有者が権利を主張する書籍に関連して受け取られた他のオーディション１０１４と１０１６のそれぞれに関しても同様の情報とコントロールが示されている。いくつかの実施形態では、ユーザー・インターフェース１０００は、権利保有者が選択した際、コンテンツ交換サービス１０４が、オーディション１００２、１０１４、１０１６の１つ又は複数を検討のために他の人に転送するようにさせる、転送オプションを含み得る。他者は、そこで、権利保有者が制作者を選択するのに役立ち得る、そのオーディションに関するフィードバックを権利保有者に提供することができる。
【００４３】
１つあるいは複数のオーディションの聴き取りが終わると、権利保有者は情報要求（ｒｅｑｕｅｓｔ  ｉｎｆｏ）コントロール１０１２を選択して対応する制作者から追加情報を求めるか、あるいは、メーク・オファー（ｍａｋｅ  ｏｆｆｅｒ）コントロール１０１０を選択することで、そのオーディオ・ブックの完全制作に関してその制作者に対してオファーを行うことができる。どちらの場合でも、コンテンツ交換サービス１０４はその権利保有者のデータ処理装置１０８ａを介して、その権利保有者が求めている追加的な情報を入力するか、あるいは、その権利保有者が制作者に対して行いたいと思っているオファーを入力するために、１つ以上のユーザー・インターフェース（図示せず）を発生して、その権利保有者に提示することができる。いずれの場合でも、コンテンツ交換サービス１０４は、権利保有者が電子メール・メッセージ、ショート・メッセージ・サービス・メッセージ（ＳＭＳ）、ファクシミリ・メッセージなどで作成する情報要求あるいはオファーを制作者に通知することができる。さらに別の実施形態では、受信されたメッセージ及び／又はオファー通知を要約して示す、その制作者に提示されるユーザー・インターフェースを介して、その制作者に通知が送られる。さらに別の実施形態では、権利保有者は電話とか郵便などより手作業的な方法を用いてその制作者と接触することもできる。
【００４４】
図１１Ａと図１１Ｂはコンテンツ交換サービス１０４によって作成され、データ処理装置１１０ａを用いて制作者に提示された例示的なユーザー・インターフェース１１００を示しており、このユーザー・インターフェース１１００は制作者がオーディオ・ブックを制作するために提出したオーディションに関する書籍タイトルの要約を示す。図示されている例では、ユーザー・インターフェース１１００はその制作者の、未決定のオーディション１１０４、その制作者によって現在制作中のオーディオ・ブック１１０６、及び、その制作者が完成したオーディオ・ブック１１０８の要約を示す。未決定のオーディション１１０４に関しては、その制作者がオーディションを提出した書籍タイトルのそれぞれがユーザー・インターフェース１１００内に示されている。図示されている例では、書籍"Ｍｙ  Ｌｉｆｅ  ｉｎ  ａ  Ｎｕｔｓｈｅｌｌ"に対してオーディションを提出しており、そのタイトルは、未決定のオーディション（ａｕｄｉｔｉｏｎ  ｐｅｎｄｉｎｇ）１００４の下にリンク１１１０として示されている。制作者がその書籍タイトルに関連してリンク１１１０を選択すると、上に述べたコンテンツ・タイトルに関するコンテンツ・プロフィールを示すためのユーザー・インターフェース３０５が制作者に対して示され得る。同様に、もしその制作者がユーザー・インターフェース１１００内に含まれている権利保有者リンク１１１２を選択すれば、その制作者に対してはコンテンツ・データ・ストア１０２及び／又はコンテンツ・プロフィールに含まれている書籍タイトルに対する権利保有者に関する追加のデータが示される。ユーザー・インターフェース１０００の場合と同様、ユーザー・インターフェース１１００はその書籍タイトルのオーディオ・ブックを制作するためのオーディションに関する新しいメッセージに対するリンク１１１４を含むことができる。そうしたメッセージはその書籍タイトルに対する権利保有者によって開始されたものである場合もあるし、その制作者からの追加情報に関する要求を含んでいる場合もあるし、あるいは、未決定のオーディションに関する別の情報を知らせるものである場合もある。
【００４５】
書籍タイトルに対する権利保有者がその書籍タイトルのオーディオ・ブックを制作するために制作者に対してオファーを行ったのであれば、ユーザー・インターフェース１１００はオファー通知リンク１１１６を含むことができ、このオファー通知リンク１１１６を選択すると、１つ以上のユーザー・インターフェースあるいはその他のメッセージ通知機構で結果がその制作者に示される。上に述べたように、このオファー通知はそのオーディオ・ブックに関する１つ以上の声の要件、そのオーディオ・ブックに関する支払条件などを含むそのオーディオ・ブック制作に関する権利保有者の最初のオファーを含むことができる。上に述べたように、制作者はそのオファーを受け入れるかあるいはカウンターオファーを送ることによって、その権利保有者からのオファー通知に応答することができる。後者の場合は、そのカウンターオファーはコンテンツ交換サービス１０４によって権利保有者に送られ、その権利保有者によって受け入れるかもしれないし、さらに交渉が続けられる場合もある。当業者であれば、権利保有者か制作者がオファーを受け入れて制作契約が最終的に成立するまで繰り返し行うことができることは容易に分かるであろう。契約が成立した時点で、その書籍タイトルは「制作中」とみなされ、ユーザー・インターフェース１１００内で、そのユーザー・インターフェースの「制作中」部分１１０６に現れる。その書籍のオーディションがアップロードされた日付１１１８もユーザー・インターフェース１１００内に示され得る。
【００４６】
制作中の書籍タイトル１１０６に関しては、タイトル・リンク１１２０と権利保有者リンク１１２１もユーザー・インターフェース１１００内に含めることができる。さらに、オーディオ・アップロード（ｕｐｌｏａｄ  ａｕｄｉｏ）リンク１１２２も制作者のデータ処理装置１１０ａに対するデジタル・オーディオ・ファイルのアップロード開始と、そのデジタル・オーディオ・ファイルをコンテンツ交換サービス１０４に送るために表示することができる。制作者に対してデジタル・オーディオ・ファイルのアップロードを指示するサンプル・ユーザー・インターフェースに関しては、図１３を参照して以下に説明する。制作者は新メッセージ・リンク１１２４を選択することでそのコンテンツ・タイトルに関するいずれの新しいメッセージにもアクセスすることができるし、ユーザー・インターフェース１１００内に示されている期限までに制作を終了すべき締切日についての通知を受けることができる。
【００４７】
完成されたオーディオ・ブック１１０８については、ユーザー・インターフェース１１００はタイトル・リンク１１２８と権利保有者リンク１１３０を含むこともできる。さらに、ユーザー・インターフェース１１００は特定の日付での完成されたオーディオ・ブックの売り上げ総数１１３２を示すこともできる。最後に、ユーザー・インターフェース１１００はそのオーディオ・ブックの制作が完成した日付を示すこともできる。
【００４８】
オファー通知に戻ると、制作者がユーザー・インターフェース１１００からオファー通知リンク１１１６を選択すると、カウンターオファーを検討したり、受け入れたり、拒絶したり、送ったりするためのポップアップ・ボックスあるいはその他のユーザー・インターフェース機構を制作者に表示することができる。図１１Ｂに示されている例において、制作者がオファーに関するメッセージを権利保有者に対して入力するためのメッセージ・フィールド１１３８を含むポップアップ・ボックス１１３６が提供されている。さらに、このポップアップ・ボックス１１３６は制作者によって選択され得るオファー受け入れ（ａｃｃｅｐｔ  ｏｆｆｅｒ）コントロール１１４０を含んでいる。あるいは、制作者はそのオファーを拒絶することを選択する場合もあり、その場合はオファー拒絶（ｒｅｊｅｃｔ  ｏｆｆｅｒ）コントロールを選択する。さらに別のオプションとして、制作者は権利保有者に対してカウンターオファーを提出することを選択する場合もあり、その場合、制作者はカウンターオファー（ｍａｋｅ  ｃｏｕｎｔｅｒｏｆｆｅｒ）コントロール１１４４を選択する。その結果、その制作者によって入力されたメッセージがコンテンツ交換サービス１０４に提出され、権利保有者が使っているデータ処理装置１０８を介してその権利保有者に送られる。オファー受け入れ（ａｃｃｅｐｔ  ｏｆｆｅｒ）コントロールが選択された場合は、最後に提示された声の要件と支払条件に従って、その権利保有者と制作者の間で制作契約が成立する。従って、制作者はそのオーディオ・ブックの制作に取り掛かる。そのオファーが拒絶された場合は、権利保有者は前に述べたようにコンテンツ交換サービス１０４を介してその制作者に新しいオファーを行うか、あるいは別の制作者からのオーディションを考えるかの選択をする。制作者がカウンターオファーを行うことを選択した場合は、権利保有者は、同様のユーザー・インターフェース入力コントロール及び上に述べたような機構を用いて、そのオファーを受け入れることも、そのオファーを拒絶することも、あるいは別のカウンターオファーを提出することもできる。このようにして、オーディオ・ブック形式でのその書籍タイトルの制作に関する交渉を行うことができ、一方の側がオファーを受け入れるか、あるいはそのオファーを拒絶すれば、交渉は打ち切られる。
【００４９】
図１２に示すように、権利保有者と制作者の間で制作契約が成立すれば、制作者はそのコンテンツを別の形式の制作・構築を反復実行できる。図１３を参照して以下により詳細に説明するように、１つの実施形態では、制作者は書籍の原稿を受け取り、次に、その原稿から作成されたオーディオ・ブックのすべてあるいは一部をアップロードすることで、そうすることができる。例えば、制作者は、例えば、序文、謝辞、各章、巻末付録などその書籍の構成に基づいて、繰り返しオーディオ・ブックを制作し、それら各部分を個別のオーディオ・ファイルとしてナレート（朗読）してアップロードすることができる。
【００５０】
図１２に戻ると、制作物の各部分が制作者のデータ処理装置１１０ａにアップロードされたら、その制作者のデータ処理装置１１０ａはその制作物のアップロードされた部分をコンテンツ交換サービス１０４に提出する。そこで、コンテンツ交換サービスは別の形式で制作された各部分を、権利保有者のデータ処理装置１０８ａを介して、検討のために権利保有者に送ることができる。例えば、そして、以下に図１４を参照してより詳しく説明するように、権利保有者はアップロードされコンテンツ交換サービス１０４に提出されたそのオーディオ・ブックの各部分を検討することができ、その部分を拒絶したり、受け入れることができる。
【００５１】
別形式でのコンテンツの制作は１段階で行われる場合もあるし、複数の段階を経て行われる場合もある。例えば、コンテンツの別形式での最初の制作物が、その権利保有者がその制作が権利保有者の要件と権利保有者と制作者間の制作契約に基づいて進行していることを確認するために、権利保有者による予備的な検討のためにアップロードされる場合もある。上にも述べたように、例えば、制作者がそのコンテンツの別形式での制作の最初の１５分間の部分だけを録音して、その最初の１５分間分を権利保有者に送って最初の承認を得る場合もある。承認が得られれば、制作者は残りの部分の制作を開始し、その制作物の残りの部分を１つのデジタル・オーディオ・ファイルあるいは複数のデジタル・オーディオ・ファイルとして送る。承認が得られなければ、権利保有者は、容認できる最初の１５分間分を制作者が提出すべき期間を設定することができる。その制作者がその期限を守ることができなければ、その制作契約はコンテンツ交換サービス１０４によって自動的に破棄されるか、あるいは、権利保有者の選択によってキャンセルされ得る。その後のデジタル・オーディオ・ファイルが権利保有者によって検討され承認されれば、完成した、あるいは完全な制作物がコンテンツ交換サービス１０４によって電子カタログに組み入れられ、後日の販売やアクセスに供せられる。いくつかの実施形態では、電子カタログは小売りあるいはライブラリ・ウェブ・サイトを通じてアクセスしたり購買される商品を含んでいる。この小売りあるいはライブラリ・ウェブ・サイトは、コンテンツ交換サービス１０４と同じ運用者によって運営されている場合もあるし、第三者によって運営されている場合もある。
【００５２】
コンテンツの別形式での完全な制作物、あるいはその一部が制作者によってアップロードされて権利保有者に提示され、拒絶された場合、コンテンツ交換サービス１０４は制作者のデータ処理装置１１０ａを介して制作者に拒絶の通知を送る。典型的には、その通知はその制作物が拒絶された理由と修正に関する指示を述べる権利保有者からのメッセージを含む。従って、制作者は権利保有者の指示に従ってそのコンテンツの別形式での制作物を修正し、同じ、あるいは同様のプロセスを通じてその制作物を再提出することができる。権利保有者がそのコンテンツの別形式での全体または完成した制作物を承認して、コンテンツ交換サービス１０４が制作者に承認通知を送るまで、このプロセスを繰り返すことができる。
【００５３】
１つの書籍タイトルに関するデジタル・オーディオ・ファイルをアップロードするためにコンテンツ交換サービス１０４で作成され制作者に提示される例示的なユーザー・インターフェース１３００を図１３に示す。ユーザー・インターフェース１３００はオーディオ・ブック制作（ｐｒｏｄｕｃｅ  ａｕｄｉｏ  ｂｏｏｋ）タブ１３０４を選択すると制作者に示される。図示されている例では、ユーザー・インターフェース１３００はその書籍タイトルに関するコンテンツ・プロフィールからのデータを含んでいる。図１３に示されているユーザー・インターフェース１３００は、図１３に示されているユーザー・インターフェース１３００は、制作者が権利保有者から原稿を受け取って、そのオーディオ・ブックの最初の１５分間分１３１２をアップロードし、そのオーディオ・ブックの最初の１５分間分が承認された際に、作成される。従って、そのユーザー・インターフェース１３００は制作者に対してそのオーディオ・ブックの次の部分のアップロードを促す。加えて、ユーザー・インターフェース１３００は制作者によってアップロードされたオーディオ・ブックの前の部分と、そのそれぞれの部分の状態を特定する。例えば、その制作者は事前にそのオーディオ・ブックの最初の１５分間分を提出して、承認を得ていたとする。従って、ユーザー・インターフェース１３００はアップロードされ承認されたそのオーディオ・ブックの最初の１５分間分のデジタル・オーディオ・ファイルの長さを示す進行表（ｐｒｏｇｒｅｓｓ  ｌｉｎｅ）１３４２を含んでいる。さらに、その最初の１５分間分がアップロードされた日付と時刻も反映されている。メッセージ送付（ｓｅｎｄ  ｍｅｓｓａｇｅ）またはオーディオ・ダウンロード(ｄｏｗｎｌｏａｄ  ａｕｄｉｏ)オプション１３４６を選択することにより、権利保有者はそのオーディオ・ブックの最初の１５分間分に関するメッセージを送ることを選択できるし、あるいは、さらに検討するためにその最初の１５分間分に関するデジタル・オーディオ・ファイルをダウンロードする選択もできる。
【００５４】
ユーザー・インターフェース１３００はその書籍の最初の部分あるいは第１章がアップロードされ、提出され、制作１３３２のためにロックされている状態も反映している。進行表１３３４もオーディオ・ブックの最初の部分の長さを示すために、その最初の部分がアップロードされた日付及び時刻１３３６と共に提示することができる。メッセージ送付またはオーディオ・ダウンロードオプション１３３８を選択することで、権利保有者はそのオーディオ・ブックの最初の部分に関するメッセージを権利保有者に送る選択もできるし、あるいは、さらに検討するためにその最初の部分のデジタル・オーディオ・ファイルに関するメッセージの送付を選択することもできる。
【００５５】
図示されている例では、制作者はそのオーディオ・ブックの第２の部分も、検討のためにアップロードし、提出している。しかしながら、その第２の部分はまが承認を得ていないので、ロックされている。進行表１３２７、アップロード日付及び時刻１３２８、及びメッセージ送付またはオーディオ・ダウンロードオプション１３３０も示される。ユーザー・インターフェース１３００はさらに、制作者に対して、その制作物の次の部分に関するデジタル・オーディオ・ファイルをアップロードを促す。閲覧コントロール１３２４を選択することで、制作者に対しては、制作者にアップロード・プロセスを通じて案内を提供する１つ以上のユーザー・インターフェース（図示せず）も提示することができる。アップロードされコンテンツ交換サービス１０４に送られたら、上に述べた手順で次の部分の提出を反映するようにユーザー・インターフェース１３００をアップデートできることは、当業者であれば容易に理解できるであろう。
【００５６】
制作者がそのオーディオ・ブックの最後の部分（あるいはオーディオ・ブック全体）をアップロードしたら、制作者は、そのオーディオ・ブックの制作物全体が提出されたことをコンテンツ交換サービス１０４に通知するために、ユーザー・インターフェース１３００で制作完了オプション（ｐｒｏｄｕｃｔｉｏｎ  ｃｏｍｐｌｅｔｅ  ｏｐｔｉｏｎ）を選択することができる。さらに、制作者はその制作に関連して権利保有者にメッセージを送付するためにメッセージ送付オプション１３０６を選択することができる。図示されてはいないが、制作者からオーディオ・ブックの制作に関する情報を受け取ったら、制作者に対しては、マーケティング目的で使うことができるオーディオ形式でつくられたその書籍の制作後サンプルをアップロードするように促される場合もある。例えば、その制作後サンプルはその制作物全体と共に電子カタログに入れて、その制作物の購入あるいはそれへのアクセスに関心を有する消費者に提示することができる。さらに、コンテンツ交換サービス１０４はその制作者と権利保有者間の制作契約に従って、支払いが制作者によって受け取られたことを確認することを、その制作者に表示するための１つ以上のユーザー・インターフェース（図示せず）を発生することができる。
【００５７】
図１４は、制作者によるオーディオ・ブックの制作の経過追跡のための、図１３に示したものと類似した例示的なユーザー・インターフェース１４００である。しかしながら、ユーザー・インターフェース１４００はオーディオ・ブック制作（ｐｒｏｄｕｃｅ  ａｕｄｉｏ  ｂｏｏｋ）タブが選択されると対応する書籍タイトルの権利保有者に示される。図１４に反映されているように、権利保有者はすでにそのオーディオ・ブックをナレーションするための原稿を制作者に送っており１４０８、その制作者から提出されたオーディオ・ブックの最初の１５分間分についての承認を与えている１４１０。従って、ユーザー・インターフェース１４００を介して、権利保有者はその制作者によって作成され提出されたオーディオ・ブックのそれぞれの部分について聴くことができる。従って、権利保有者は提出された各部分についてのデジタル・オーディオ・ファイルをダウンロードして、その１つ１つについて承認を与えることができる。図示されている実施形態では、権利保有者は制作全体承認（ａｐｐｒｏｖｅｄ  ｆｕｌｌ  ｐｒｏｄｕｃｔｉｏｎ）コントロールを選択する１４０６ことで、自分がその完成したオーディオ・ブックを承認する１４１２ことを示すことができる。上に述べたように、完成した制作物が権利保有者によって承認されたら、そのオーディオ・ブックは電子カタログ内に取り入れられて、承認の通知がコンテンツ交換サービス１０４によって制作者に送られる。しかしながら、いくつかの実施形態では、完成したオーディオ・ブックを電子カタログに取り込む前に、コンテンツ交換サービス１０４によって１つ又は複数のユーザー・インターフェースが発生されて、そのオーディオ・ブックのサンプルの承認１４１４を得るために、権利保有者がそのオーディオ・ブックに関連したアート・ワークをアップロードする１４１６ことができるようにするために、そして、両者間での制作契約によって指定されたそのオーディオ・ブックの支払いをその制作者に送る１４１８ために、権利保有者に提示される。
【００５８】
ユーザー・インターフェース１４００は特定の書籍に関するコンテンツ・プロフィールを権利保有者に示すための上に述べたユーザー・インターフェース３０５に類似している。従って、権利保有者はいつの時点でもコンテンツ交換サービス１０４にログインして、権利保有者が権利を主張しているコンテンツ・タイトルのいずれかのコンテンツ・プロフィールを検討することができる。そうした場合に、権利保有者は図１５に示すユーザー・インターフェースのオーディオ・ブック販売タブを選択することができる。図１５は上に述べたように制作されたオーディオ・ブックの販売に関する種々のデータを報告するためのユーザー・インターフェース１５００を示す。図示されている例では、ユーザー・インターフェース１５００は販売に供されているオーディオ・ブックもタイトル１５０４及び１５１２と、特定の日付時点での売り上げ総数１５０６及び１５１４、及び、各制作物の完成日１５０８及び１５１６を含んでいる。さらに、ユーザー・インターフェース１５００は、権利保有者がその制作物の制作者に対して支払う、あるいは支払い義務を負っているロイヤリティ総額１５１０及び１５１８を含む場合もある。当業者であれば、図１５に示す要約レポートが単に例示的なものであり、コンテンツ交換サービス１０４が権利保有者及び制作者に対していろいろな要約レポートを作成・提示できることはすぐ分かるであろう。要約レポートの非限定的例としては、販売履歴レポート（例えば、任意の期間、任意の地理的範囲、任意のマーケット・バスケットでの販売総額など）、アクセス履歴レポート、転換履歴レポートなどがある。マーケット・バスケット販売レポートは特定のオーディオ・ブックと共にどんな他の商品が購入されたかを反映させることもできる。当業者であれば、これらの要約レポートをコンテンツ・データ・ストアに記憶保存されているデータで生成させることができるのは容易に理解できるであろう。
【００５９】
さらに別の実施形態では、権利保有者あるいは制作者は種々のより狭い選択基準を選択することで、より絞り込んだ要約報告書を作成することができる。そうした絞り込んだ基準には、著者、アーティスト、カテゴリー、報告期間、地理的条件、言語などがある。そうした絞り込み基準はテキスト・フィールドへの直接入力、選択可能リストやドロップダウン・メニューからの選択、あるいはこの技術領域で知られている他のタイプの入力機構などを用いて入力することができる。さらに、絞り込み基準としては、上に述べたものより少なくても違っていてもよく、さらに、書籍や音楽や映画など、別形式での制作が行われたコンテンツのタイプに依存するものであっても差し支えない。絞り込み基準は、例えば、販売状況、デジタル・オーディオ映画の長さなど、コンテンツ・データ・ストア１０２から抽出された関連データを組織構成するのに適合しているとみなされるどんなタイプの基準であってもよい。従って、制作者あるいは権利保有者は種々の絞り込み基準を選択することで、要約レポートをさらに絞り込むことができる。
【００６０】
当業者であれば、コンテンツ交換サービス１０４は本開示の範囲を逸脱せずに、図３Ａ−３Ｄ、４、６、７、９、１０、１０Ａ−１１Ｂ、及び１３−１６に示したもの以外の種々のユーザー・インターフェースを作成できることは理解できるであろう。例えば、権利保有者のコンテンツを別形式で制作する機会についての競争入札に制作者が入札で応じることができるようにするために、種々のユーザー・インターフェースを発生することができる。そうしたユーザー・インターフェースは制作者に対して、そのコンテンツを別形式で制作するためのコストを入力したり、そのコンテンツ制作のためのオーディションをアップロードするように促すことができる。
【００６１】
制作者が権利保有者のコンテンツを別形式で制作するためのオーディションを提出すると、コンテンツ交換サービス１０４は１つ又は複数のユーザー・インターフェースを発生させて、その権利保有者に提出された入札（例えばオーディション）及び制作者プロフィールを提示して、検討し最終的な選択を行わせることができる。次いで権利保有者は、落札した入札を提出した制作者と、上で説明したようなインターフェースを介して、やり取りを確立することができる。上述の通り、落札された入札は、作品を別形式で制作するための費用が最も低いものであり得る。しかしながら、別の実施形態では、権利保有者またはコンテンツ交換サービス１０４は、例えばナレーターの経験、声の属性、制作者の制作履歴などの、他の、あるいは追加の基準に基いて、落札者を決定することができる。さらに他の実施形態では、権利保有者の要件を満たす制作者のみが入札を認められ得る。そのような実施形態では、最も低い入札価格の制作者が選択され得る。
【００６２】
上に述べたプロセスのすべては１つあるいは複数台の汎用コンピュータあるいはプロセッサによって実行されるソフトウエア・コード・モジュールを介して具現化したり、完全に自動化することができる。コード・モジュールは、任意のタイプのコンピュータ読み取り可能媒体、または他のコンピュータ記憶媒体内に格納することができる。これらの方法の一部あるいはすべてを専用コンピュータ・ハードウエアで具体化することも可能である。さらに、ここで触れられている構成要素はハードウエア、ソフトウエア、ファームウエア、あるいはその組み合わせで具体化することができる。
【００６３】
「できる」とか「できるであろう」とか「可能であろう」とか「可能である」などの条件的な用語は、特に別の注記がない限り、使用されている文脈内で、一般に、ある特定の実施形態は、ある特定の特徴や要素及び／又はステップを含むが、他の実施形態はそれらを含まないことを伝えるものと理解される。従って、そうした条件的な表現は特徴や要素及び／又はステップが１つまたは複数の実施形態に何らかの意味で必要であるとか、１つ又は複数の実施形態が、ユーザーからの入力のあるなしにかかわらず、それらの特徴、要素、ステップがいずれか特定の実施形態に含まれているとか、実行されるべきであるとかと決めるための論理を含んでいることを示唆することを意図するものではない。
【００６４】
本明細書に示されているフロー図や添付図面に示されているすべてのプロセスの説明、要素やブロックはそのプロセス中の特定の論理的な機能や要素を実行するために実行可能な１つ又は複数の指示を含むモジュールや部分（セグメント）やコードの部分を潜在的に示すと理解されるべきである。他の実行例も本明細書で述べられている実施形態の範囲内にあり、それらの実施形態においては、要素なり機能は削除されても、本明細書の示されていたり考察されている順序とは違った順番で実行されても差し支えなく、当業者が理解するであろうような機能性に基づいて、実質的には同時併行的に行われても、逆の順序で行われても差し支えない。
【００６５】
上に述べた実施形態に対しては多数の変更や修正が可能であり、それらの要素は他にも可能な例と同様であると解釈されるべきである。そうした修正や変更は本開示の範囲内に含まれるものであり、以下の個条に示されるような場合なども含むことを意図している。
【００６６】
個条
１：  １つ又は複数のデータ処理装置の管理下で、
複数のコンテンツ・タイトルに関するデータを電子データ・ストアに記憶保存することであって、その電子データ・ストアに記憶保存される各コンテンツ・タイトルに関するデータがそのコンテンツ・タイトルに対する権利を保有している権利保有者によって又はその権利保有者のために提出されることと、
そうした複数のコンテンツ・タイトルに関するデータを見込み制作者に対して検討のために提示することであって、見込み制作者に対して提示される上記複数のコンテンツ・タイトルのそれぞれに関するデータがそのコンテンツ・タイトルを別形式で制作するための１つあるいは複数の要件を含んでいることと、
少なくとも一名の制作者から別形式でのコンテンツ・プロフィールのサンプル制作物を受領することであって、そのサンプル制作物が検討のために提示されるそのコンテンツを別形式で制作するための１つあるいは複数の要件の少なくとも一部に基づいて少なくとも一名の見込み制作者によって制作されたものであることと、
そのコンテンツ・タイトルの別形式でのサンプル制作物をそのコンテンツ・タイトルの権利保有者に提示することと、
少なくとも一名の見込み制作者とそのコンテンツ・タイトルの権利保有者との間で、そのコンテンツ・タイトルの別形式での制作に関する電子的な通信を促進することと、
そのコンテンツ・タイトルに対する権利保有者のそのコンテンツ・タイトルの制作物全体を提示することであって、その完全な制作物は、少なくとも一名見込み制作者によって制作されたことと、および
そのコンテンツ・タイトルの別形式での制作物全体を権利保有者が受け入れたら、電子カタログにそのコンテンツ・タイトルの別形式での制作物全体を提出すること、
とを含むコンピュータで実現される方法。
【００６７】
２：  少なくとも一名の見込み制作者と権利保有者の間での通信を促す方法が、
そのコンテンツ・タイトルを別形式で制作するためのオファーを電子的に伝えることと、
そのコンテンツ・タイトルを別形式で制作することに関する受け入れを電子的に伝えること、
とを含む、条項１記載のコンピュータで実現される方法。
【００６８】
３：  さらに、電子データ・ストアに、コンテンツ・タイトルの制作に関する、複数の見込み制作者に関するデータを記憶保存することであって、その電子データ・ストアに記憶保存されるコンテンツ・タイトル制作に関するデータがその見込制作者によって、あるいはその見込制作者のために提出されることを含む、条項１に関するコンピュータで実現される方法。
【００６９】
４：  上記コンテンツ・タイトルが書籍タイトルであり、上記別形式がオーディオ・ブックである、条項１に記載のコンピュータで実現される方法。
【００７０】
５：  上記少なくとも一名の制作者がナレーターである、条項４のコンピュータで実現される方法。
【００７１】
６：  コンテンツの制作者とそのコンテンツに対する権利保有者間の通信を可能にするシステムであって、
複数のコンテンツに関するデータを記憶保存している電子データ・ストアであって、各コンテンツに関する上記データがそのコンテンツに対する権利保有者のために上記電子データ・ストアに記憶保存されている、電子データ・ストアと、
上記電子データ・ストアと通信するデータ処理装置であって、
複数のコンテンツのうちの少なくとも１つに関するデータを検討のために制作者に提示し、その制作者に提示される少なくとも１つのコンテンツに関するデータがそのコンテンツを別形式で制作するための１つあるいは複数の要件を含んでおり、
前記１つ以上の要件に基づいて、上記１つ以上のコンテンツを制作するために、少なくとも１つ以上のコンテンツに対する権利保有者と制作者の間での契約の電子的なオファーと受け入れを交換し、
上記少なくとも１つのコンテンツの別形式での制作を促進し、その制作物が上記制作者と少なくとも１つのコンテンツに対する上記権利保有者との間での契約に従って制作される、ように作動する、データ処理装置と、
を含む、システム。
【００７２】
７：  少なくとも１つのコンテンツを別の形式で制作するのを促進することは、
上記１つのコンテンツの、別形式のサンプル制作物を、制作者から受領することであって、そのサンプル制作物が上記少なくとも１つのコンテンツを別形式で制作するための前記１つあるいは複数の要件に基づいてその制作者により制作されていることと、および、
その少なくとも１つのコンテンツの別形式でのサンプル制作物をそのコンテンツ・タイトルに対する権利保有者に提示することと、
を含む、条項６記載のシステム。
【００７３】
８：  少なくとも１つのコンテンツを別形式で制作するのを促進することは、
上記少なくとも１つのコンテンツの別形式での制作物の第１の部分を制作者から受領することであって、その制作物の第１の部分がその少なくとも１つのコンテンツを別形式で制作するための上記１つあるいは複数の要件に従って上記制作者により制作されていることと、および、
その少なくとも１つのコンテンツの制作物の少なくとも最初の部分をその少なくとも１つのコンテンツに対する権利保有者に検討のために提示すること、
を含む、条項６記載のシステム。
【００７４】
９：  上記少なくとも１つのコンテンツの別形式での制作を促進することは、
上記制作者から上記少なくとも１つのコンテンツの別形式での完全な制作物を受領することであって、上記少なくとも１つのコンテンツの完全な制作物がその少なくとも１つのコンテンツの別形式での制作に関する前記１つあるいは複数の要件に従ってその制作者によって制作されていることと、および、
その少なくとも１つのコンテンツの別形式での完成した制作物をその少なくとも１つのコンテンツの権利保有者に対して検討のために提示することと、
とをさらに含む、条項６記載のシステム。
【００７５】
１０：  上記データ処理装置がさらに、
上記少なくとも１つのコンテンツの別形式での制作に関して上記権利保有者からの承認が得られれば、その少なくとも１つのコンテンツの別形式での制作物を電子カタログに提出するように作動する、条項６記載のシステム。
【００７６】
１１：  上記電子データ・ストアが複数の制作者に関するデータを記憶保存し、その電子データ・ストアに記憶保存された各制作者に関するデータがその制作者によって、あるいはその制作者のために提出される、条項６記載のシステム。
【００７７】
１２：  上記データ処理装置がさらに、少なくとも１人の制作者に関するデータをその少なくとも１つのコンテンツに対する権利保有者に検討のために提示することであって、その権利保有者に対して提示される上記少なくとも一人の見込み制作者が、コンテンツを別形式で制作するための制作者の１つあるいは複数の資格を有していること、を行うように作動する、条項１１記載のシステム。
【００７８】
１３：  上記データ処理装置が、さらに、その権利保有者に提示された少なくとも１人の制作者に関するデータの少なくとも一部に基づいて、その権利保有者がその少なくとも一人の見込み制作者を制作者として選択したら、上記制作者と上記少なくとも１つのコンテンツに対する権利保有者間の契約の電子的なオファー及び受け入れを交換するように作動する、条項１２記載のシステム。
【００７９】
１４：  上記少なくとも１つのコンテンツが書籍であり、上記制作者がナレーターであり、上記制作物がその書籍の原稿の上記制作者によるナレーションのデジタル・オーディオ・ファイルである、条項６記載のシステム。
【００８０】
１５：  上記書籍の原稿が上記権利保有者によって上記データ処理装置に提供され、上記電子データ・ストアに記憶保存される、条項１４記載のシステム。
【００８１】
１６：  上記データ処理装置がさらに、その権利保有者が上記少なくとも１つのコンテンツを別形式で制作するための権利を管理していることを確認するように作動する、条項６記載のシステム。
【００８２】
１７：  その権利保有者が上記少なくとも１つのコンテンツを別形式で制作するための権利を管理していることを確認するステップが、（ｉ）その少なくとも１つのコンテンツが電子カタログ内でオリジナルの形で利用できるかどうかを判定することと、（ｉｉ）上記少なくとも１つのコンテンツが承認されている出版社によってオリジナルの形で出版されたかどうかを判定することと、（ｉｉｉ）上記少なくとも１つのコンテンツがオリジナルの形で公共に供されているかどうかを判定することと、そして（ｉｖ）上記少なくとも１つのコンテンツが別の形式で制作されているかどうかを判定すること、のうちの少なくとも１つを含む、条項１６記載のシステム。
【００８３】
１８：  コンテンツ・タイトルを別の形式で制作する能力を有する複数の制作者に関するデータを提示するためのコンピュータで実行可能な構成要素を有する非一過性のコンピュータ読み取り可能な記憶保存媒体であって、上記コンピュータで実行可能な構成要素が、
少なくとも１つのコンテンツ・タイトルに対する権利の保有者に対して複数の見込み制作者に関するデータを提示し、各見込み制作者に関するデータがその見込み制作者によって、あるいはその見込み制作者のために提出され、各見込み制作者に関するデータがその見込み制作者について記述する少なくとも１つのプロフィール・データと上記少なくとも１つのコンテンツ・タイトルに関するオーディションを含んでおり、
上記権利保有者にその選択された見込み制作者に関するプロフィール・データの少なくとも一部に基づいて見込み制作者等から一人の見込み制作者を選択できるようにし、
上記権利保有者が上記少なくとも１つのコンテンツ・タイトルを別の形式で制作するために上記選択された見込み制作者にオファーを行うことができるようにし、
その選択された見込み制作者によってそのオファーが受け入れられたら、上記権利保有者によって指定された１つあるいは複数の要件に従って上記選択された見込み制作者が制作したその少なくとも１つのコンテンツ・タイトルの別形式での制作物を上記権利保有者に提示し、そして
上記権利保有者が上記少なくとも１つのコンテンツ・タイトルの別形式での制作を容認することができるように作動する、権利保有者ユーザー・インターフェースを含む、記憶保存媒体。
【００８４】
１９：  上記少なくとも１つのコンテンツ・タイトルがオーディオブックを含む、非一過性のコンピュータ読み取り可能記憶保存媒体。
【００８５】
２０：  上記権利保有者によって指定される１つあるいは複数の要件が、視点（ｐｏｉｎｔ−ｏｆ−ｖｉｅｗ）、カテゴリー、登場人物の年齢、なまり、声のスタイル及び言語のうちの少なくとも１つを含む、条項１９記載の非一過性のコンピュータ読み取り可能記憶保存媒体。
【００８６】
２１：  各見込み制作者に関するデータが、そのコンテンツを別の形式で制作する機会に関する競争入札での上記見込み制作者による入札を含む、条項１８記載の非一過性のコンピュータ読み取り可能記憶保存媒体。
【００８７】
２２：  上記提示される少なくとも１つのコンテンツの別形式による制作物が、上記少なくとも１つのコンテンツ・タイトルの別形式での最初の制作物を含む、条項１８記載の非一過性のコンピュータ読み取り可能記憶保存媒体。
【００８８】
２３：  上記提示される少なくとも１つのコンテンツ・タイトルの別形式での制作物がその少なくとも１つのコンテンツ・タイトルの別形式での完成した制作物を含む、条項１８記載の非一過性のコンピュータ読み取り可能記憶保存媒体。
【００８９】
２４：  上記権利保有者ユーザー・インターフェースの構成要素が、
その権利保有者に、その少なくとも１つのコンテンツを別形式で制作することに関しての権利を管理していることの主張を可能ならしめるように作動する、条項１８記載の非一過性のコンピュータ読み取り可能記憶保存媒体。
【００９０】
２５：  コンテンツ・タイトルを別の形式で制作する能力を有する複数の制作者に関するデータを提示するためのコンピュータで実行できる構成要素を有する非一過性のコンピュータ読み取り可能記憶保存媒体であって、
その第１のコンピュータで実行できる構成要素が制作者ユーザー・インターフェース構成要素を含み、その制作者ユーザー・インターフェース構成要素が、
制作者に対して複数のコンテンツ・タイトルに関するデータを提示し、上記複数のコンテンツ・タイトルのそれぞれに関するデータが、そのコンテンツ・タイトルに対する権利保有者によって、あるいは権利保有者のために提示され、そして、各コンテンツ・タイトルに関する上記データがそのコンテンツ・タイトルについて記述するプロフィール・データを含み、
その制作者が別の形式での少なくとも１つのコンテンツ・タイトルに関するサンプル制作物を提出できるようにし、上記サンプル制作物がその少なくとも１つのコンテンツに関するプロフィール・データの少なくとも一部に基づいて上記制作者によって制作されたものであり、および
上記制作者が上記少なくとも１つのコンテンツ・タイトルを別形式で制作するために上記少なくとも１つのコンテンツ・タイトルの権利保有者に対してオファーを行えるようにし、そして
上記権利保有者がそのオファーを受け入れたら、上記少なくとも１つのコンテンツについて記述しているプロフィール・データに従って上記制作者が制作する上記少なくとも１つのコンテンツ・タイトルの別形式での制作物を上記制作者が提示できるように作動する、非一過性のコンピュータ読み取り可能記憶保存媒体。
【００９１】
２６：  上記少なくとも１つのコンテンツ・タイトルがオーディオ・ブックである、条項２５記載の非一過性のコンピュータ読み取り可能記憶保存媒体。
【００９２】
２７：  上記少なくとも１つのコンテンツ・タイトルを記述しているプロフィール・データが、視点（ｐｏｉｎｔ−ｏｆ−ｖｉｅｗ）、カテゴリー、性別、登場人物の年齢、なまり、声のスタイル及び言語のうちの少なくとも１つを含む、条項２６記載の、非一過性のコンピュータ読み取り可能記憶保存媒体。
【００９３】
２８：  提出される上記少なくとも１つのコンテンツの別形式での制作物が、その少なくとも１つのコンテンツ・タイトルの別形式での最初の制作物を含む、条項２５記載の非一過性のコンピュータ読み取り可能記憶保存媒体。
【００９４】
２９：  上記提出される少なくとも１つのコンテンツの別形式での制作物が上記少なくとも１つのコンテンツ・タイトルの完成した別形式の制作物を含む、条項２５記載の非一過性のコンピュータ読み取り可能記憶保存媒体。
【００９５】
３０：  コンピュータで実現される方法であって、
１つあるいは複数のデータ処理装置の管理下で、
複数のコンテンツ・タイトルに関するデータを電子データ・ストアに記憶保存することであって、上記電子データ・ストアに記憶保存される各コンテンツ・タイトルに関するデータがそのコンテンツ・タイトルに対する権利保有者によって、あるいはその権利保有者の利益のために提出されることと、
上記複数のコンテンツ・タイトルに関するデータを見込み制作者に提示することであって、見込み制作者に対して提示される上記複数のコンテンツ・タイトルのそれぞれに関するデータが、上記コンテンツ・タイトルを別形式で制作するための１つあるいは複数の要件を含んでいることと、
少なくとも１人の見込み制作者から別形式でのコンテンツ・タイトルの制作物を受領することであって、その制作物が検討のために提示された上記コンテンツ・タイトルの別形式での制作に関する１つあるいは複数の要件の少なくとも一部分に基づいて上記少なくとも１人の制作者によって制作されていることと、および
上記少なくとも１人の制作者と上記権利保有者との間の上記コンテンツ・タイトルの別形式での制作に関する電子通信を促進すること、
を含む、コンピュータによって実現される方法。
【００９６】
３１：  さらに、上記コンテンツ・タイトルを別形式での制作を権利保有者が受け入れた場合に、その別形式でのコンテンツ・タイトルの制作物を電子カタログに提出することを含む、条項２９記載のコンピュータで実現される方法。
【００９７】
３２：  上記コンテンツ・タイトルの別形式での制作物がそのコンテンツ・タイトルの別形式での最初の制作物を含む、条項３１記載のコンピュータで実現される方法。
【００９８】
３３：  上記コンテンツ・タイトルの別形式での制作物がそのコンテンツ・タイトルの別形式での完成した制作物を含む、条項３１記載のコンピュータで実現される方法。
【００９９】
３４：  上記少なくとも１つのコンテンツ・タイトルが書籍であり、上記制作者がナレーターであり、上記制作物が上記書籍の原稿の上記制作者によるナレーションのデジタル・オーディオ・ファイルである、条項３０記載のコンピュータで実現される方法。
【０１００】
３５：  上記書籍の原稿が上記権利保有者によって提供される、条項３０記載のコンピュータで実現される方法。
【０１０１】
３６：  検討のために提示される上記１つ又は複数の要件が、視点（ｐｏｎｔ−ｏｆ−ｖｉｅｗ）、カテゴリー、性別、登場人物の年齢、なまり、声のスタイル、及び言語のうちの少なくとも１つを含む、条項３０記載のコンピュータで実現される方法。
【図１】
2014500545.tif 000003
【図２】
2014500545.tif 000004
【図３Ａ】
2014500545.tif 000005
【図３Ｂ】
2014500545.tif 000006
【図３Ｃ】
2014500545.tif 000007
【図３Ｄ】
2014500545.tif 000008
【図４】
2014500545.tif 000009
【図５】
2014500545.tif 000010
【図６】
2014500545.tif 000011
【図７】
2014500545.tif 000012
【図８】
2014500545.tif 000013
【図９】
2014500545.tif 000014
【図１０】
2014500545.tif 000015
【図１１Ａ】
2014500545.tif 000016
【図１１Ｂ】
2014500545.tif 000017
【図１２】
2014500545.tif 000018
【図１３】
2014500545.tif 000019
【図１４】
2014500545.tif 000020
【図１５】
2014500545.tif 000021
【国際調査報告】
2014500545.tif 000022